(57)【要約】第１の通信搬送波および第２の通信搬送波を用いて無線通信ネットワークと通信するように構成されているユーザエージェント（ＵＡ）を用いてデータを受信する方法を提示する。該方法は、第１の時間間隔の間に、制御情報を受信することを含む。制御情報は、第１の通信搬送波および第２の通信搬送波のうちの少なくとも１つにおいてリソースを割り当てる。制御情報が、第１の通信搬送波においてリソースを割り当てるとき、該方法は、第２の時間間隔中に第１の通信搬送波を用いてデータを受信することを含む。制御情報が、第２の通信搬送波においてリソースを割り当てるとき、該方法は、第３の時間間隔中に第２の通信搬送波を用いて、データを受信することを含み、第３の時間間隔は、第１の時間間隔からオフセットされている。
2013502841.tif 000002
【特許請求の範囲】
【請求項１】
ユーザエージェント（ＵＡ）を用いてデータを受信する方法であって、該ユーザエージェントは、第１の通信搬送波および第２の通信搬送波を用いて無線通信ネットワークと通信するように構成されており、
該方法は、
第１の時間間隔中に制御情報を受信することであって、該制御情報は、該第１の通信搬送波および該第２の通信搬送波のうちの少なくとも１つにおいてリソースを割り当てる、ことと、
該制御情報が、該第１の通信搬送波においてリソースを割り当てるとき、第２の時間間隔中に、該第１の通信搬送波を用いてデータを受信することと、
該制御情報が、該第２の通信搬送波においてリソースを割り当てるとき、第３の時間間隔中に、該第２の通信搬送波を用いてデータを受信することであって、該第３の時間間隔は、該第１の時間間隔からオフセットされている、ことと
を含む、方法。
【請求項２】
前記第１の時間間隔、前記第２の時間間隔、および前記第３の時間間隔は、それぞれ、前記第１の通信搬送波および前記第２の通信搬送波のうちの少なくとも１つにおいてサブフレームを識別する、請求項１に記載の方法。
【請求項３】
前記第１の時間間隔は、前記第２の時間間隔とほぼ同時に発生する、請求項１に記載の方法。
【請求項４】
前記第２の時間間隔は、前記第１の時間間隔からオフセットされている、請求項１に記載の方法。
【請求項５】
前記第１の時間間隔は、前記第１の通信搬送波上の第１のサブフレームであり、前記第２の時間間隔は、該第１の通信搬送波上の第２のサブフレームであり、前記第３の時間間隔は、前記第２の通信搬送波上の第３のサブフレームであり、該第３のサブフレームは、該第１のサブフレームの後に続く、請求項１に記載の方法。
【請求項６】
前記第２の通信搬送波上の前記第３のサブフレームは、前記第１の通信搬送波上の前記第１のサブフレームから、４つのサブフレーム分だけオフセットされている、請求項５に記載の方法。
【請求項７】
前記制御情報は、前記第１の通信搬送波を用いて受信される、請求項１に記載の方法。
【請求項８】
前記第３の時間間隔と前記第１の時間間隔との間のオフセットは、１つのサブフレーム未満である、請求項１に記載の方法。
【請求項９】
前記第３の時間間隔と前記第１の時間間隔との間のオフセットは、無線リソース制御（ＲＲＣ）メッセージを用いて構成されている、請求項１に記載の方法。
【請求項１０】
前記第３の時間間隔と前記第１の時間間隔との間のオフセットは、約４つのサブフレームである、請求項１に記載の方法。
【請求項１１】
前記第３の時間間隔と前記第１の時間間隔との間のオフセットは、前記第２の通信搬送波の搬送波インデックス値によって、暗示的に信号伝達される、請求項１に記載の方法。
【請求項１２】
前記第３の時間間隔と前記第１の時間間隔との間のオフセットは、所定のマッピング規則によって、暗示的に信号伝達される、請求項１に記載の方法。
【請求項１３】
前記所定のマッピング規則は、前記第１の通信搬送波によって提供される物理ダウンリンク制御チャネル（ＰＤＣＣＨ）上の前記制御情報の位置を用いる、請求項１２に記載の方法。
【請求項１４】
前記第３の時間間隔と前記第１の時間間隔との間のオフセットは、事前構成されている、請求項１に記載の方法。
【請求項１５】
前記制御情報が、第３の通信搬送波においてリソースを割り当てるとき、前記第２の時間間隔中に、該第３の通信搬送波を用いてデータを受信することを含む、請求項１に記載の方法。
【請求項１６】
前記制御情報は、前記無線通信ネットワークのサービス品質（ＱｏＳ）要件に従って、前記第１の通信搬送波および前記第２の通信搬送波のうちの少なくとも１つにおいてリソースを割り当てる、請求項１に記載の方法。
【請求項１７】
前記制御情報が、前記第１の通信搬送波においてリソースを割り当てるとき、第１のＡＣＫ／ＮＡＣＫリソースを用いて確認応答および非確認応答（ＡＣＫ／ＮＡＣＫ）メッセージのうちの少なくとも１つを伝送することと、
該制御情報が、前記第２の通信搬送波においてリソースを割り当てるとき、第２のＡＣＫ／ＮＡＣＫリソースを用いてＡＣＫ／ＮＡＣＫメッセージを伝送することと
を含む、請求項１に記載の方法。
【請求項１８】
前記ＡＣＫ／ＮＡＣＫに対する前記割り当てられたリソースは、無線リソース制御（ＲＲＣ）信号伝達を用いて信号伝達される、請求項１７に記載の方法。
【請求項１９】
前記ＡＣＫ／ＮＡＣＫに対する前記割り当てられたリソースは、前記制御チャネル上で最も小さい制御チャネル要素（ＣＣＥ）と、前記第２の通信搬送波のインジケータとを用いて特定される、請求項１７に記載の方法。
【請求項２０】
前記第３の時間間隔の前記オフセットは、前記制御チャネル内で動的に信号伝達される、請求項１に記載の方法。
【請求項２１】
前記第３の時間間隔の前記オフセットは、前記制御チャネルを介して伝送されるダウンリンク制御情報（ＤＣＩ）メッセージを用いて動的に信号伝達される、請求項２０に記載の方法。
【請求項２２】
前記第３の時間間隔の前記オフセットは、前記制御チャネル内で、データ制御情報（ＤＣＩ）伝送のリソース位置を用いて動的に信号伝達される、請求項２０に記載の方法。
【請求項２３】
前記制御情報が、前記第２の通信搬送波において複数のリソースを割り当て、該複数のリソースは、それぞれ、該第２の通信搬送波上の異なるサブフレームに割り当てられる、請求項１に記載の方法。
【請求項２４】
前記制御情報は、前記第１の通信搬送波の物理ダウンリンク共有チャネルを介して伝送される、請求項２３に記載の方法。
【請求項２５】
第１の通信搬送波および第２の通信搬送波を用いて、無線通信ネットワークと通信するように構成されているユーザエージェント（ＵＡ）であって、
該ユーザエージェントはプロセッサを備え、
該プロセッサは、
第１の時間間隔中に制御情報を受信することであって、該制御情報は、該第１の通信搬送波および該第２の通信搬送波のうちの少なくとも１つにおいてリソースを割り当てる、ことと、
該制御情報が、該第１の通信搬送波においてリソースを割り当てるとき、第２の時間間隔中に、該第１の通信搬送波を用いてデータを受信することと、
該制御情報が、該第２の通信搬送波においてリソースを割り当てるとき、第３の時間間隔中に、該第２の通信搬送波を用いてデータを受信することであって、該第３の時間間隔は、該第１の時間間隔からオフセットされている、ことと
を行うように構成される、ＵＡ。
【請求項２６】
前記第１の時間間隔は、前記第１の通信搬送波上の第１のサブフレームであり、前記第２の時間間隔は、該第１の通信搬送波上の第２のサブフレームであり、前記第３の時間間隔は、前記第２の通信搬送波上の第３のサブフレームであり、該第３のサブフレームは、該第１のサブフレームの後に続く、請求項２５に記載のＵＡ。
【請求項２７】
前記制御情報は、前記第１の通信搬送波を用いて受信される、請求項２５に記載のＵＡ。
【請求項２８】
前記第１の時間間隔からの前記第３の時間間隔のオフセットは、１つのサブフレーム未満である、請求項２５に記載のＵＡ。
【請求項２９】
前記第１の時間間隔からの前記第３の時間間隔のオフセットは、無線リソース制御（ＲＲＣ）メッセージを用いて構成されている、請求項２５に記載のＵＡ。
【請求項３０】
前記第１の時間間隔からの前記第３の時間間隔のオフセットは、約４ミリ秒（４ｍｓ）である、請求項２５に記載のＵＡ。
【請求項３１】
前記制御情報が、第３の通信搬送波上のリソースを割り当てるとき、前記プロセッサは、第４の時間間隔の間に、該第３の通信搬送波を用いてデータを受信するように構成されている、請求項２５に記載のＵＡ。
【請求項３２】
前記制御情報が、前記第１の通信搬送波上のリソースを割り当てるとき、前記プロセッサは、第１のＡＣＫ／ＮＡＣＫリソースを用いて、確認応答および非確認応答（ＡＣＫ／ＮＡＣＫ）メッセージのうちの少なくとも１つを伝送するように構成され、
該制御情報が、前記第２の通信搬送波上のリソースを割り当てるとき、該プロセッサは、第２のＡＣＫ／ＮＡＣＫリソースを用いて、ＡＣＫ／ＮＡＣＫメッセージを伝送するように構成されている、請求項２５に記載のＵＡ。
【請求項３３】
無線通信システムであって、該無線通信システムは、ユーザエージェント（ＵＡ）に、該無線通信システムの第１の通信搬送波および第２の通信搬送波のうちの少なくとも１つにおいてリソースを割り当て、
該無線通信システムは、基地局を備え、
該基地局は、
該基地局の制御チャネルを用いて第１の時間間隔中に制御情報を伝送することであって、該制御情報は、該第１の通信搬送波および該第２の通信搬送波のうちの少なくとも１つにおいてリソースを割り当てる、ことと、
該制御情報が該第１の通信搬送波においてリソースを割り当てるとき、第２の時間間隔中に該第１の通信搬送波を用いてデータを伝送することと、
該制御情報が該第２の通信搬送波上のリソースを割り当てるとき、第３の時間間隔中に、該第２の通信搬送波を用いてデータを伝送することであって、該第３の時間間隔は、該第１の時間間隔からオフセットされている、ことと
を行うように構成されている、無線通信システム。
【請求項３４】
前記第１の時間間隔は、前記第１の通信搬送波上の第１のサブフレームであり、前記第２の時間間隔は、該第１の通信搬送波上の第２のサブフレームであり、前記第３の時間間隔は、前記第２の通信搬送波上の第３のサブフレームであり、該第３のサブフレームは、該第１のサブフレームの後に続く、請求項３３に記載の無線通信システム。
【請求項３５】
前記制御情報は、前記第１の通信搬送波を用いて受信される、請求項３３に記載の無線通信システム。
【請求項３６】
前記第１の時間間隔からの前記第３の時間間隔のオフセットは、１つのサブフレーム未満である、請求項３３に記載の無線通信システム。
【請求項３７】
前記第１の時間間隔からの前記第３の時間間隔のオフセットは、無線リソース制御（ＲＲＣ）メッセージを用いて構成されている、請求項３３に記載の無線通信システム。
【請求項３８】
前記第１の時間間隔からの前記第３の時間間隔のオフセットは、約４ミリ秒（４ｍｓ）である、請求項３３に記載の無線通信システム。
【請求項３９】
前記制御情報が、第３の通信搬送波上のリソースを割り当てるとき、前記基地局は、第４の時間間隔の間に、該第３の通信搬送波を用いてデータを伝送するように構成されている、請求項３３に記載の無線通信システム。
【請求項４０】
無線通信システムであって、該無線通信システムは、ユーザエージェント（ＵＡ）に該無線通信システムの第１の通信搬送波および第２の通信搬送波のうちの少なくとも１つにおいてリソースを割り当て、
該無線通信システムは、
該第１の通信搬送波を提供する第１の基地局と、
該第２の通信搬送波を提供する第２の基地局と
を備えており、
該第１の基地局は、
該第１の基地局の制御チャネルを用いて第１の時間間隔中に制御情報を伝送することであって、該制御情報は、該第１の通信搬送波および該第２の通信搬送波のうちの少なくとも１つにおいてリソースを割り当てる、ことと、
該制御情報が、該第１の通信搬送波においてリソースを割り当てるとき、該第１の時間間隔中に該第１の通信搬送波を用いてデータを伝送することと
を行うように構成され、
該第２の基地局は、
該制御情報が、該第２の通信搬送波においてリソースを割り当てるとき、第２の時間間隔中に該第２の通信搬送波を用いてデータを伝送するように構成され、該第２の時間間隔は、該第１の時間間隔からオフセットされている、無線通信システム。
【発明の詳細な説明】
【技術分野】
【０００１】
本発明は、概して、モバイル通信システム内のデータ伝送に関し、より具体的には、チャネルタイミングオフセットおよび搬送波切替を確立するための方法に関する。
【発明の概要】
【課題を解決するための手段】
【０００２】
本明細書で使用される場合、用語「ユーザエージェント」および「ＵＡ」は、電気通信能力を有する、携帯電話、携帯情報端末、手持ち式またはラップトップコンピュータ、および同様のデバイスまたは他のユーザ機器（「ＵＥ」）等の無線デバイスを指すことができる。いくつかの実施形態では、ＵＡは、モバイル無線デバイスを指してもよい。用語「ＵＡ」はまた、デスクトップコンピュータ、セットトップボックス、またはネットワークノード等の、同様の能力を有するが概して運搬可能ではないデバイスを指してもよい。
【０００３】
従来の無線電気通信システムでは、基地局内の伝送機器は、セルとして知られる地理的領域の全体を通して、信号を伝送する。技術の発展に伴って、より高度な機器が導入され、以前には可能ではなかったようなサービスを提供可能になっている。この高度な機器は、例えば、従来の無線電気通信システム内の同等機器より高度に発展した基地局または他のシステムおよびデバイスよりもむしろ、発展型ユニバーサル地上無線アクセスネットワーク（Ｅ−ＵＴＲＡＮ）ノードＢ（ｅＮＢ）を含む場合がある。そのような高度または次世代機器は、本明細書では、ロングタームエボリューション（ＬＴＥ）と称され、そのような機器を使用するパケットベースのネットワークは、発展型パケットシステム（ＥＰＳ）と称され得る。ＬＴＥシステム／機器への付加的な改良は、最終的には、ＬＴＥ発展型（ＬＴＥ−Ａ）システムをもたらす。本明細書で使用されるように、用語「アクセスデバイス」は、電気通信システム内の他の構成要素へのアクセスをＵＡに提供することができる、従来の基地局またはＬＴＥあるいはＬＥＴ−Ａアクセスデバイス（ｅＮＢを含む）等の任意の構成要素を指す。
【０００４】
Ｅ−ＵＴＲＡＮ等のモバイル通信システムでは、アクセスデバイスは、１つ以上のＵＡへの無線アクセスを提供する。アクセスデバイスは、ダウンリンクトラフィックデータパケット伝送を動的に予定し、アクセスデバイスと通信する全ＵＡ間でアップリンクトラフィックデータパケット伝送リソースを配分するためのパケットスケジューラを備える。スケジューラの機能は、とりわけ、ＵＡ間の利用可能な空気インターフェース能力を分割するステップと、各ＵＡのパケットデータ送信のために使用される輸送チャネルを決定するステップと、パケット配分およびシステム負荷を監視するステップとを含む。スケジューラは、物理ダウンリンク共有チャネル（ＰＤＳＣＨ）および物理アップリンク共有チャネル（ＰＵＳＣＨ）データ伝送のためのリソースを動的に配分し、制御チャネルを通して、ＵＡにスケジューリング情報を送信する。
【０００５】
とりわけ、アップリンクリソースを特定するためのＤＣＩ形式０、ダウンリンクリソースを特定するためのＤＣＩ形式１、１Ａ、１Ｂ、１Ｃ、１Ｄ、２、および２Ａ、ならびに電力制御情報を特定するためのＤＣＩ形式３および３Ａを含む、いくつかの異なるデータ制御情報（ＤＣＩ）メッセージ形式は、ＵＡへのリソース割当を伝達するために使用される。アップリンク特定ＤＣＩ形式０は、いくつかのＤＣＩフィールドを含み、そのそれぞれは、配分されたアップリンクリソースの異なる側面を特定するための情報を含む。例示的なＤＣＩ形式０ＤＣＩフィールドは、伝送電力制御（ＴＰＣ）フィールド、循環偏移復調参照信号（ＤＭ−ＲＳ）フィールド、変調コード化スキーム（ＭＣＳ）および冗長性バージョンフィールド、新規データインジケータ（ＮＤＩ）フィールド、リソースブロック割当、およびホッピングフラグフィールドを含む。ダウンリンク特定ＤＣＩ形式１、１Ａ、２、および２Ａはそれぞれ、配分されたダウンリンクリソースの異なる側面を特定するための情報を含む、いくつかのＤＣＩフィールドを含む。例示的なＤＣＩ形式１、１Ａ、２、および２Ａ  ＤＣＩフィールドは、ハイブリッド自動再送要求（ＨＡＲＱ）プロセス番号フィールド、ＭＣＳフィールド、新規データインジケータ（ＮＤＩ）フィールド、リソースブロック割当フィールド、および冗長性バージョンフィールドを含む。ＤＣＩ形式０、１、２、１Ａ、および２Ａのそれぞれは、配分されたリソースを特定するための付加的なフィールドを含む。他のダウンリンク形式１Ｂ、１Ｃ、および１Ｄは、同様の情報を含む。アクセスデバイスは、ＵＡおよびアクセスデバイス能力、ＵＡが伝送しなければならないデータの量、セル内の通信トラフィックの量等を含む、いくつかの要因の関数として、リソースをＵＡに配分するためのダウンリンクＤＣＩ形式のうちの１つを選択する。
【０００６】
ＬＴＥ伝送は、別個の１ミリ秒サブフレームに分割される。ＤＣＩメッセージは、明示的とは対照的に暗示的にそれと関連付けることができ、制御オーバーヘッド要件を低減するように、サブフレームと同期させることができる。例えば、ＬＴＥ周波数分割二重（ＦＤＤ）システムでは、ＤＣＩ  ０メッセージは、例えば、ＤＣＩ  ０メッセージが第１の時間に受信されると、ＵＡが、第１の時間の４ミリ秒後にサブフレームの中のデータパケットを伝送するために、その中に示されたリソース許可を使用するようにプログラムされるように、４ミリ秒後にアップリンクサブフレームと関連付けられる。代替として、ＤＣＩメッセージは、同時に伝送されたダウンリンクサブフレームと関連付けられてもよい。例えば、ＤＣＩ  １、１Ａ、２、２Ａ等のメッセージが第１の時間に受信されると、ＵＡは、同時に受信されたトラフィックデータサブフレームの中のデータパケットを復号するために、その中に示されたリソース許可を使用するようにプログラムされる。
【０００７】
動作中、ＬＴＥネットワークは、ＵＡ間でＤＣＩメッセージを含む割当メッセージを配信するために、共有物理ダウンリンク制御チャネル（ＰＤＣＣＨ）を使用する。各ＵＡに対するＤＣＩメッセージならびに他の共有制御情報は、別々に符号化されてもよい。ＰＤＣＣＨは、アクセスデバイスからＵＡにＤＣＩメッセージを伝送するために使用される、複数の制御チャネル要素（ＣＣＥ）を含む。アクセスデバイスは、ＤＣＩメッセージをＵＡに伝送するために使用される、１つのＣＣＥまたはＣＣＥの集約を選択し、メッセージを伝送するように選択されるＣＣＥサブセットは、アクセスデバイスとＵＡとの間の知覚された通信状態に少なくとも部分的に依存する。
【０００８】
多くの場合、短期間で、アクセスデバイスが大量のデータをＵＡに伝送すること、またはＵＡが大量のデータをアクセスデバイスに伝送することが望ましい。例えば、一連の写真が、短期間にわたってアクセスデバイスに伝送される必要があってもよい。別の事例として、ＵＡは、復号データ転送が極めて大きいように、全て本質的に同時にアクセスデバイスからデータパケットを受信しなければならない、いくつかのアプリケーションを実行してもよい。データ伝送の速度を増加させる１つの方法は、アクセスデバイスとＵＡとの間で通信するために複数の搬送波（すなわち、複数の周波数）を使用することである。例えば、システムは、５×８＝４０の別個のアップリンクおよび５×８＝４０の別個のダウンリンク伝送ストリームを並行して生成することができるように、５つの異なる搬送波（すなわち、周波数）および８つのＨＡＲＱプロセスをサポートしてもよい。複数の搬送波を介した通信は、搬送波集約と呼ばれる。
【０００９】
搬送波集約を実装するとき、従来のネットワーク実装では、ＵＡは、集約されている搬送波の各々上のＰＤＳＣＨを受信するように構成される。ＰＤＣＣＨおよびＰＤＳＣＨは、ダウンリンク通信に対して、同じサブフレームで発生するため、ＵＡは、ＵＡが、集約された搬送波のうちのいずれか上のリソースを許可されるかどうかを判断する前に、構成された搬送波の各々上のＰＤＳＣＨをバッファリングすることが一般的に必要とされる。これは、種々のネットワークタイミングプロトコルと一致する一方で、バッファ要件は、処理および記憶要件を増加させ、バッテリ寿命を低減させる、ＵＡでの付加的な電力消費の原因となる。
【００１０】
本開示をより完全に理解するために、添付の図面および発明を実施するための形態と併せて理解される、以下の簡単な説明を参照し、類似参照数字は、類似部品を表す。
【図面の簡単な説明】
【００１１】
【図１】図１は、ユーザエージェント（ＵＡ）およびアクセスデバイスを含む、例示的なマルチチャネル通信システムを図示する、概略図である。
【図２】図２は、各構成要素搬送波が２０ＭＨｚの帯域幅を有し、全システム帯域幅が１００ＭＨｚである、通信ネットワーク内の搬送波集約の説明図である。
【図３】図３は、時間ドメインにおいて定義される複数のサブフレームを有する、ＵＡと、アクセスデバイスとの間に確立される、単一の搬送波の説明図である。
【図４ａ】図４ａは、単一のＰＤＣＣＨが、１つ以上の搬送波上のリソースを配分することができる、制御チャネル実装の説明図である。
【図４ｂ】図４ｂは、マルチキャリアネットワーク内の各搬送波が、制御メッセージを分配するために、その自身の制御チャネルを配分される、制御チャネル実装の説明図である。
【図５】図５は、非指定搬送波上のリソースを配分するとき、指定搬送波が、既定のオフセットを伴って動作する、本システムの実装の説明図である。
【図６】図６は、指定搬送波および非指定搬送波上の物理ダウンリンク共有チャネル（ＰＤＳＣＨ）間のオフセットが、１サブフレーム未満である、本システムの実装の説明図である。
【図７】図７は、指定搬送波および非指定搬送波の両方が、リソースを配分するための制御チャネルを放送する、本システムの実装の説明図である。
【図８】図８は、指定および非指定搬送波の両方上のリソース配分を符号化するＰＤＣＣＨの説明図である。
【図９】図９は、いくつかのＰＤＳＣＨリソース配分を含む、物理ダウンリンク制御チャネル（ＰＤＣＣＨ）の説明図である。
【図１０】図１０は、ＵＡが、アクセスデバイスに、搬送波切替の明示的確認応答を提供する、搬送波切替を実装するＵＡの説明図である。
【図１１】図１１は、ＵＡが、アクセスデバイス上で、搬送波切替の明示的確認応答を提供しない、搬送波切替を実装するＵＡの説明図である。
【図１２】図１２は、本開示の種々の実施形態のうちのいくつかに対して動作可能なＵＡを含む、無線通信システムの略図である。
【図１３】図１３は、本開示の種々の実施形態のうちのいくつかに対して動作可能なＵＡのブロック図である。
【図１４】図１４は、本開示の種々の実施形態のうちのいくつかに対して動作可能なＵＡ上に実装されてもよい、ソフトウェア環境の略図である。
【図１５】図１５は、本開示の種々の実施形態のうちのいくつかに対して好適である、例証的な汎用コンピュータシステムである。
【発明を実施するための形態】
【００１２】
チャネルタイミングオフセット、および指定搬送波切替は、搬送波集約を実装する、無線通信ネットワーク上で動作するユーザエージェント（ＵＡ）のバッファリング要件、バッテリ電力消費を低減することができる。
【００１３】
このため、いくつかの実施形態は、第１および第２の通信搬送波を使用して、無線通信ネットワークと通信するするように構成されるユーザエージェント（ＵＡ）を使用して、データを受信するための方法を含む。該方法は、第１の時間間隔の間に、制御情報を受信するステップを含む。制御情報は、第１の通信搬送波および第２の通信搬送波のうちの少なくとも１つ上のリソースを配分する。制御情報が、第１の通信搬送波上のリソースを配分するとき、該方法は、第２の時間間隔の間に、第１の通信搬送波を使用して、データを受信するステップを含む。制御情報が、第２の通信搬送波上のリソースを配分するとき、該方法は、第３の時間間隔の間に、第２の通信搬送波を使用して、データを受信するステップを含み、第３の時間間隔は、第１の時間間隔からオフセットされている。
【００１４】
他の実施形態は、第１および第２の通信搬送波を使用して、無線通信ネットワークと通信するするように構成されるユーザエージェント（ＵＡ）を含む。ＵＡは、プロセッサを含む。プロセッサは、第１の時間間隔の間に、制御情報を受信するように構成される。制御情報は、第１の通信搬送波および第２の通信搬送波のうちの少なくとも１つ上のリソースを配分する。制御情報が、第１の通信搬送波上のリソースを配分するとき、プロセッサは、第２の時間間隔の間に、第１の通信搬送波を使用して、データを受信するように構成される。制御情報が、第２の通信搬送波上のリソースを配分するとき、プロセッサは、第３の時間間隔の間に、第２の通信搬送波を使用して、データを受信するように構成され、第３の時間間隔は、第１の時間間隔からオフセットされている。
【００１５】
他の実施形態は、ユーザエージェント（ＵＡ）に向けて、無線通信システムの第１および第２の通信搬送波のうちの少なくとも１つ上のリソースを配分するための無線通信システムを含む。該システムは、基地局を含む。基地局は、基地局の制御チャネルを使用して、第１の時間間隔の間に、制御情報を伝送するように構成される。制御情報は、第１の通信搬送波および第２の通信搬送波のうちの少なくとも１つ上のリソースを配分する。制御情報が、第１の通信搬送波上のリソースを配分するとき、基地局は、第２の時間間隔の間に、第１の通信搬送波を使用して、データを伝送するように構成される。制御情報が、第２の通信搬送波上のリソースを配分するとき、基地局は、第３の時間間隔の間に、第２の通信搬送波を使用して、データを伝送するように構成され、第３の時間間隔は、第１の時間間隔からオフセットされている。
【００１６】
他の実施形態は、ユーザエージェント（ＵＡ）に向けて、無線通信システムの第１および第２の通信搬送波のうちの少なくとも１つ上のリソースを配分するための無線通信システムを含む。該システムは、第１の通信搬送波を提供する、第１の基地局を含む。第１の基地局は、第１の基地局の制御チャネルを使用して、第１の時間間隔の間に、制御情報を伝送するように構成される。制御情報は、第１の通信搬送波および第２の通信搬送波のうちの少なくとも１つ上のリソースを配分する。制御情報が、第１の通信搬送波上のリソースを配分するとき、第１の基地局は、第１の時間間隔の間に、第１の通信搬送波を使用して、データを伝送するように構成される。該システムは、第２の通信搬送波を提供する、第２の基地局を含む。第２の基地局は、制御情報が、第２の通信搬送波上のリソースを配分するとき、第２の時間間隔の間に、第２の通信搬送波を使用して、データを伝送するように構成され、第２の時間間隔は、第１の時間間隔からオフセットされている。
【００１７】
他の実施形態は、第１および第２の通信搬送波を使用して、無線通信ネットワークと通信するするように構成されるユーザエージェント（ＵＡ）を使用して、データを受信するための方法を含む。該方法は、第１の通信搬送波を使用して、第１の時間間隔で、制御情報を受信するステップを含む。制御情報は、第１の通信搬送波および第２の通信搬送波のうちの少なくとも１つ上のリソースを配分する。制御情報は、搬送波切替が必要かどうかを示す。
【００１８】
他の実施形態は、第１および第２の通信搬送波を使用して、無線通信ネットワークと通信するするように構成されるユーザエージェント（ＵＡ）を含む。該ＵＡは、プロセッサを含む。プロセッサは、第１の通信搬送波を使用して、第１の時間間隔で、制御情報を受信するように構成される。制御情報は、第１の通信搬送波および第２の通信搬送波のうちの少なくとも１つ上のリソースを配分する。制御情報は、搬送波切替が必要かどうかを示す。
【００１９】
他の実施形態は、ユーザエージェント（ＵＡ）に向けて、無線通信システムの第１および第２の通信搬送波のうちの少なくとも１つ上のリソースを配分するための、無線通信システムを含む。該無線通信システムは、基地局を含む。基地局は、第１の通信搬送波を使用して、第１の時間間隔で、制御情報を伝送するように構成される。制御情報は、第１の通信搬送波および第２の通信搬送波のうちの少なくとも１つ上のリソースを配分する。制御情報は、搬送波切替が必要かどうかを示す。
【００２０】
次いで、前述および関連の目的を達成するために、本開示は、以降で完全に説明される特徴を備える。以下の説明および付随の図面は、本発明の詳細なある例証的側面を説明する。しかしながら、これらの側面は、本開示の原理を採用することができる、種々の方法のうちのいくつかを示すにすぎない。本開示の他の側面、利点、および新規特徴は、図面と併せて考慮されると、以下の本開示の発明を実施するための形態から明白となるであろう。
【００２１】
ここで、付随の図面を参照して、本開示の種々の側面を説明し、類似番号は、全体を通して、類似または対応要素を指す。しかしながら、図面およびそれに関連する詳細な説明は、請求された主題を開示される特定の形態に限定することを目的としないことを理解されたい。むしろ、請求された主題の精神および範囲内にある、全ての修正、同等物、および代替案を網羅することが意図される。
【００２２】
本明細書で使用されるように、用語「構成要素」、「システム」、および同等物は、ハードウェア、ハードウェアおよびソフトウェアの組み合わせ、ソフトウェア、または実行中のソフトウェアのいずれかである、コンピュータ関連エンティティを指すことを目的とする。例えば、構成要素は、プロセッサ上で作動するプロセス、プロセッサ、オブジェクト、実行ファイル、実行のスレッド、プログラム、および／またはコンピュータであってもよいが、それらに限定されない。例証として、コンピュータ上で作動するアプリケーションおよびコンピュータは両方とも、構成要素となり得る。１つ以上の構成要素は、プロセスおよび／または実行のスレッド内に常駐してもよく、構成要素は、１つのコンピュータ上に局在してもよく、および／または２つ以上のコンピュータ間で分散されてもよい。
【００２３】
用語「例示的」とは、本明細書では、実施例、事例、または例証としての機能を果たすことを意味するために使用される。「例示的」として本明細書に説明される任意の側面または設計は、必ずしも、他の側面または設計よりも好ましい、あるいは有利であると解釈されるものではない。
【００２４】
さらに、開示された主題は、標準的プログラミングおよび／またはエンジニアリング技術を使用して、ソフトウェア、ファームウェア、ハードウェア、またはそれらの任意の組み合わせを生産し、コンピュータまたはプロセッサベースのデバイスを制御し、本明細書に詳述される側面を実装するように、システム、方法、装置、または製造品として実装されてもよい。用語「製造品」（または代替として、「コンピュータプログラム製品」）は、本明細書で使用されるように、任意のコンピュータ可読デバイス、搬送波、または媒体からアクセス可能なコンピュータプログラムを包含することを目的としている。例えば、コンピュータ可読媒体は、磁気記憶デバイス（例えば、ハードディスク、フロッピー（登録商標）ディスク、磁気ストリップ．．．）、光ディスク（例えば、コンパクトディスク（ＣＤ）、デジタル多用途ディスク（ＤＶＤ）．．．）、スマートカード、およびフラッシュメモリデバイス（例えば、カード、スティック）を含むことができるが、それらに限定されない。加えて、搬送波は、電子メールを送受信する際、あるいはインターネットまたはローカルエリアネットワーク（ＬＡＮ）等のネットワークにアクセスする際に使用されるもの等の、コンピュータ可読電子データを搬送するために採用できることを理解されたい。当然ながら、当業者であれば、請求された主題の範囲または精神から逸脱することなく、多くの修正が本構成に成されてもよいことを認識するであろう。
【００２５】
ここで、類似参照数字が、いくつかの図の全体を通して同様の要素に対応する、図面を参照すると、図１は、ＵＡ１０およびアクセスデバイス１２を含む、例示的なマルチチャネル通信システム３０を図示する、概略図である。ＵＡ１０は、いくつかある構成要素の中で特に、１つ以上のソフトウェアプログラムを実行するプロセッサ１４を含み、プログラムのうちの少なくとも１つは、アクセスデバイス１２からデータを受信するように、およびアクセスデバイス１２にデータを提供するように、アクセスデバイス１２と通信する。データがＵＡ１０からデバイス１２に伝送されるとき、データはアップリンクデータと呼ばれ、データがアクセスデバイス１２からＵＡ１０に伝送されるとき、データはダウンリンクデータと呼ばれる。アクセスデバイス１２は、１つの実装では、ＵＡ１０と通信するためのＥ−ＵＴＲＡＮノードＢ（ｅＮＢ）または他のネットワーク構成要素を含んでもよい。
【００２６】
通信を促進するために、複数の異なる通信チャネルがアクセスデバイス１２とＵＡ１０との間で確立される。本開示の目的で、図１を参照すると、アクセスデバイス１２とＵＡ１０との間の重要なチャネルは、物理ダウンリンク制御チャネル（ＰＤＣＣＨ）７０、物理ダウンリンク共有チャネル（ＰＤＳＣＨ）７２、および物理アップリンク共有チャネル（ＰＵＳＣＨ）７４を含んでもよい。標識が暗示するように、ＰＤＣＣＨは、アップリンク／ダウンリンクデータ通信中にアクセスデバイス１２がＵＡ１０を制御することを可能にする、チャネルである。この目的を達成するために、ＰＤＣＣＨは、ダウンリンク制御情報（ＤＣＩ）パケットと呼ばれるスケジューリングまたは制御データパケットをＵＡ１０に伝送して、ダウンリンク通信トラフィックパケットを受信するか、またはアップリンク通信トラフィックパケットを示すか、あるいはＵＡへの特定の命令（例えば、電力制御コマンド、ランダムアクセス手順を行う命令、半永続的スケジューリング活性化または非活性化）を示すために、ＵＡ１０によって使用されるスケジューリングを示すために、使用されてもよい。別個のＤＣＩパケットが、各トラフィックパケット／サブフレーム伝送のためにアクセスデバイス１２によってＵＡ１０に伝送されてもよい。例示的なＤＣＩパケットは、図１のＰＤＣＣＨ７０上の通信７１によって示される。ＰＤＳＣＨ７２上の例示的なトラフィックデータパケットまたはサブフレームは、７３と標識される。ＰＵＳＣＨ７４は、データサブフレームまたはパケットをアクセスデバイス１２に伝送するためにＵＡ１０によって使用される。ＰＵＳＣＨ７４上の例示的なトラフィックパケットは、７７と標識される。
【００２７】
搬送波集約は、ＵＡ１０、アクセスデバイス１２、および／または他のネットワークの間の通信のために、より広い伝送帯域幅をサポートし、潜在的なピークデータ転送速度を増加させるために使用されてもよい。搬送波集約では、複数の構成要素搬送波が集約され、図２に示されるように、サブフレームの中でＵＡ１０に配分されてもよい。図２は、各構成要素搬送波が２０ＭＨｚの帯域幅を有し、全システム帯域幅が１００ＭＨｚである、通信ネットワーク内の搬送波集約の例示的説明図である。図示されるように、利用可能な帯域幅１００は、複数の搬送波１０２に分割される。ＵＡ１０は、ＵＡの能力に応じて、複数の構成要素搬送波（図２に示された実施例では最大で合計５つの搬送波１０２）上で受信または伝送してもよい。搬送波集約は、同じ帯域に位置する搬送波１０２および／または異なる帯域に位置する搬送波１０２を伴って発生してもよい。例えば、１つの搬送波１０２は、２ＧＨｚに位置してもよく、第２の集約された搬送波１０２は、８００ＭＨｚに位置してもよい。
【００２８】
各搬送波の各通信チャネルは、いくつかのサブフレームに分離されてもよい。例えば、各チャネルは、１０ミリ秒（ｍｓ）の長さであり、１０のサブフレームから成る、無線フレームを放送してもよく、各サブフレームは、１ｍｓの長さである。全てのサブフレームは、各スロットが０．５ｍｓである、２つのスロットをさらに含んでもよい。
【００２９】
図３は、時間ドメインにおいて定義される、複数のサブフレーム１１２を有する、ＵＡ１０と、アクセスデバイス１２との間に確立される、単一の搬送波１１０の説明図である。四角形の各列は、アクセスデバイス１２およびＵＡ１０の各々によって見られる搬送波１１０を説明し、各単一の四角形は、搬送波１１０のサブフレームを表す。したがって、図３は、アクセスデバイス１２およびＵＡ１０の各々におけるサブフレーム、ならびにサブフレームのうちのいくつかにおいて、アクセスデバイス１２とＵＡ１０との間を通過する、メッセージまたはデータを説明する。場合によっては、ネットワークは、アクセスデバイス１２とＵＡ１０と間を通過するデータの完全性を確実にするように、ハイブリッド自動再送要求（ＨＡＲＱ）スキームまたはプロセスをするように構成されてもよい。図３において示されるように、いくつかのＨＡＲＱメッセージは、アクセスデバイス１２とＵＡ１０と間を通過する。
【００３０】
ＨＡＲＱスキームは、正確に受信されたトラフィックパケットを補償するように、トラフィックデータパケットを再伝送するために使用されてもよく、アップリンクおよびダウンリンク伝送の両方において使用されてもよい。例えば、ダウンリンク伝送を挙げる。ＵＡによって受信される各ダウンリンクパケットに関して、ＵＡによって実行される周期的冗長検査（ＣＲＣ）が、復号の成功を示した後、肯定確認応答（ＡＣＫ）が、物理アップリンク制御チャネル（ＰＵＣＣＨ）上で、ＵＡからアクセスデバイスに伝送されてもよい。ＣＲＣが、パケットが正確に受信されないことを示す場合、ＵＡのＨＡＲＱエンティティは、誤って受信されたパケットの再伝送を要求するように、ＰＵＣＣＨ上で否定確認応答（ＮＡＣＫ）を伝送する。一度ＨＡＲＱのＮＡＣＫがアクセスデバイスに伝送されると、ＵＡは、再伝送されたトラフィックデータパケットを受信するのを待機する。ＨＡＲＱのＮＡＣＫが、ネットワークノードで受信されるとき、ネットワークノードは、不正確に受信されたパケットを、ＵＡに再伝送する。データの伝送、ＡＣＫ／ＮＡＣＫ通信、およびデータの再伝送のこのプロセスは、パケットが正確に受信されるまで、または再伝送の最大数に到達するまで、継続する。この図は、利用可能なダウンリンクＨＡＲＱプロセスのうちの１つのみに関する通信の流れを示すということに留意されたい。
【００３１】
図３に戻って参照すると、ダウンリンクパケット伝送に関して、ＰＤＣＣＨを含有するサブフレームは、データを含む、ＰＤＳＣＨを含有するサブフレームと同じである。したがって、図３において、サブフレーム０では、アクセスデバイス１２は、ＰＤＣＣＨ（制御）および対応するＰＤＳＣＨ（トラフィック）の両方を、ＵＡ１０に伝送する。ＰＤＣＣＨが受信されるとき、ＵＡは、サブフレームのバッファリングまたは処理を開始し、ＵＡが、サブフレーム０において受信されるＰＤＣＣＨを復号することを可能にする。ＵＡ１０が、ＵＡに対して意図される配分を見つけ出さない場合、ＵＡ１０は、マイクロスリープに入ってもよく、サブフレームのバッファリングまたは処理を継続する必要はない。代替として、ＵＡ１０が、ＰＤＣＣＨ内で符号化されるＵＡ意図される配分を見つけ出す場合、ＵＡは、ＵＡが完全にサブフレームを受信するまで、サブフレームのバッファリングまたは処理を継続する。サブフレームを受信した後、次いで、ＵＡは、受信されたＰＤＳＣＨを復号することを試行してもよい。復号後、ＵＡは、図３に示されるように、サブフレーム４においてＡＣＫ／ＮＡＣＫ情報を伝送してもよい。復号が成功せず、ＵＡがサブフレーム４においてＮＡＣＫを伝送する場合、アクセスデバイス１２は、ＵＡ１０に、サブフレーム８における別のＰＤＣＣＨおよびＰＤＳＣＨの組み合わせを伝送してもよい。このプロセスを、付加的なＨＡＲＱ伝送のために繰り返すことができる。
【００３２】
搬送波集約を実装するとき、ＵＡは、２つ以上の搬送波上でＰＤＳＣＨを受信するように構成されてもよい。ＰＤＣＣＨおよびＰＤＳＣＨは、従来のネットワーク構成において、同じサブフレームで発生するため、ＵＡは、ＵＡが、搬送波のうちのいずれか上のリソースを許可されるかどうかを判断する前に、構成された搬送波（指定および／またはいずれの非指定搬送波も含む）の各々上のＰＤＳＣＨをバッファリングする。これは、既存のタイミングプロトコルと一致する一方で、この挙動は、ＵＡでの付加的な電力消費を必要とする（バッテリ寿命を低減する）。マルチキャリアネットワーク構成を使用する時の、ＵＡのバッファリング要件を最小化し、ＵＡのバッテリ電力消費を低減するために、本システムおよび方法は、マルチキャリア通信システムにおいて、ＰＤＣＣＨおよびＰＤＳＣＨタイミングオフセット、ならびに／または指定搬送波切替を提供するように開発されている。
【００３３】
１つの実装では、ＵＡのバッファリング要件、および対応する電力非効率を軽減するために、指定搬送波上でのＰＤＳＣＨ伝送が、対応するＰＤＣＣＨ許可と同じサブフレームに留まる一方で、非指定搬送波上でのＰＤＳＣＨ伝送は、対応するＰＤＣＣＨ許可に対してオフセットされている。
【００３４】
ＵＡは、１つまたは複数の指定搬送波を割り当てられる。指定搬送波は、ＵＡが監視する制御チャネルである、搬送波であってもよい（例えば、ＰＤＣＣＨ）。指定搬送波はまた、一式の不連続的な受信（ＤＲＸ）パラメータが、ＵＡに対して構成される、搬送波であることも可能である。指定搬送波はまた、同期化を実行する、システム情報放送、ページング等を受信するために使用されてもよい。より一般的には、指定搬送波は、アクセスデバイス１２がＵＡ１０に割り当てる搬送波のうちのいずれか１つであってもよい。１つの実装では、指定搬送波は、アンカー搬送波である。指定搬送波またはアンカー搬送波は、通信中のｅＮＢといった、通信中のアクセスデバイスの物理搬送波であってもよい。
【００３５】
マルチキャリア通信ネットワークを実装するとき、単一の搬送波上のリソースを配分するのみの単一の制御チャネルは、各搬送波に対して定義されてもよい。代替として、単一の制御チャネルは、２つ以上の搬送波上のリソースを配分してもよい。図４ａおよび４ｂは、マルチキャリアシステムにおいて、２つ以上の搬送波に適用される、制御チャネルの２つの異なる実装を説明する。図４ａは、単一のＰＤＣＣＨが、１つ以上の搬送波上のリソースを配分することができる、制御チャネル実装を説明する。示されるように、搬送波ｆ１上のＰＤＣＣＨは、搬送波ｆ１上のリソースを配分するのみである。しかしながら、搬送波ｆ２上のＰＤＣＣＨは、搬送波ｆ２およびｆ３の両方にリソースを配分する。この実施例において、搬送波ｆ３は、そのリソースが、搬送波ｆ２のＰＤＣＣＨによって配分されるため、ＰＤＣＣＨを含まない。対照的に、図４ｂにおいて、マルチキャリアネットワーク内の各搬送波は、制御メッセージを分配するために、その自身の制御チャネルを配分される。図４ｂにおいて、３つの搬送波、ｆ１、ｆ２、およびｆ３は各々、その特定の搬送波上のリソースを配分するために、ＰＤＣＣＨを有する。
【００３６】
本システムの１つの実装では、単一のＰＤＣＣＨは、１つ以上の搬送波上のリソースを配分するように構成されてもよい（例えば、図４ａの例示的なＰＤＣＣＨを使用して）。該システムは、指定および非指定搬送波を含み、指定搬送波のＰＤＣＣＨは、指定および１つ以上の非指定搬送波の両方上のリソースを配分する。例えば、ＵＡに対するＰＤＣＣＨ許可は、１つ以上の指定搬送波、または構成要素搬送波（ＣＣ）セットを監視するＰＤＣＣＨにおける搬送波から伝送されるのみであってもよい。図５において示されるように、本システムの１つの実装では、指定搬送波上のＰＤＣＣＨは、指定搬送波上のリソースの配分に関して、従来の様態で動作するが、非指定搬送波上のリソースを配分するとき、既定のタイミングオフセットを伴って動作する。
【００３７】
図５を参照すると、指定搬送波１２０は、既存の基準に従って動作するように構成されてもよい。そのようなものとして、指定搬送波１２０は、そのＰＤＣＣＨを介して、制御メッセージを放送する。しかしながら、非指定搬送波１２２は、ＰＤＣＣＨを含まない。結果として、ＵＡ１０は、指定搬送波１２０および／または非指定搬送波１２２上のリソース配分に対して、指定搬送波１２０のＰＤＣＣＨを監視するのみである。本システムのいくつかの実装では、ＵＡ１０は、複数の指定搬送波のＰＤＣＣＨを監視してもよく、本システムは、搬送波の各々上でＨＡＲＱプロセスを実装してもよいということに留意されたい。しかしながら、この実施例においては、単一のダウンリンクＨＡＲＱプロセスを使用する単一の指定搬送波のみを説明する。
【００３８】
図５において、指定搬送波１２０および非指定搬送波１２２の両方に対するＰＤＣＣＨ許可は、指定搬送波１２０のＰＤＣＣＨ領域を介して、ＵＡ１０に伝送される。ＰＤＣＣＨが指定搬送波１２０にリソースを配分するとき、ＰＤＳＣＨ伝送は、対応するＰＤＣＣＨ許可と同じサブフレームにおいて発生する。そのようなものとして、指定搬送波１２０上のＰＤＣＣＨの動作は、既存の仕様に従ってもよい。代替の実装では、しかしながら、指定搬送波上のＰＤＳＣＨリソース許可はまた、本開示に従って、オフセットされていてもよい。
【００３９】
しかしながら、非指定搬送波１２２に関して、ＰＤＳＣＨ伝送は、既定の数のサブフレーム分、その対応するＰＤＣＣＨ許可からオフセットされている（図５において、伝送は、４サブフレーム分オフセットされている）。非指定搬送波１２２上のデータ伝送のためのタイミングオフセットは、Ｒｅｌ−８におけるアップリンクトラフィックに対して使用されるものと同じまたは同様のオフセット（すなわち、４サブフレーム）であるように構成されてもよいが、システム実装に依存して、他のオフセットを使用してもよい。さらに、オフセットは、上位層信号伝達を介して（例えば、無線リソース制御（ＲＲＣ）信号伝達で）、動的または半静的に構成されてもよく、または静的に構成（指定された固定されたオフセットに従って）、例えば、基準によって指定されてもよい。システム実装に依存して、オフセットまたは時間間隔は、サブフレームのうちの一部、単一のサブフレーム、複数のサブフレーム、持続時間、または持続時間またはサブフレームの任意の他の尺度であってもよい。
【００４０】
したがって、図５において示されるように、サブフレーム０において、アクセスデバイス１２は、ＰＤＣＣＨ許可、ＰＤＣＣＨ１およびＰＤＣＣＨ２を伝送する。ＰＤＣＣＨ１は、指定搬送波１２０上のリソースの許可を含む。ＰＤＣＣＨ２は、非指定搬送波１２２上のリソースの許可を含む。ＰＤＣＣＨ１およびＰＤＣＣＨ２の両方は、サブフレーム０において、指定搬送波１２０上でＵＡ１０に伝送される。ＰＤＣＣＨメッセージを受信した後、ＵＡ１０は、ＰＤＣＣＨ１およびＰＤＣＣＨ２の両方を復号しながら、サブフレームのバッファリング／処理を開始する。ＵＡ１０が、許可を復号し、許可が、指定搬送波１２０に対するもの（すなわち、ＰＤＣＣＨ１）であった場合、ＵＡ１０は、指定搬送波１２０上の同じサブフレーム（すなわち、サブフレーム０）のＰＤＳＣＨ領域のバッファリング／処理を継続する。しかしながら、ＵＡ１０は、許可を複合化し、許可が、非指定搬送波１２２に対するもの（ＰＤＣＣＨ２）であった場合、ＵＡ１０は、適切な時間に、非指定搬送波１２２のオフセットされたサブフレームにおいて、ＰＤＳＣＨをバッファリング／処理するように、対応する非指定搬送波１２２を活性化するように構成される。図５において示されるように、指定搬送波１２０上のサブフレーム０において、非指定搬送波１２２にリソースを配分するＰＤＣＣＨを受信した後、ＵＡ１０は、非指定搬送波１２２が、非指定搬送波１２２上で、オフセットサブフレーム４（例えば、４ｍｓ後に発生する）において伝送されるＰＤＳＣＨを、バッファリング／処理することを可能にする。
【００４１】
本システムを使用して、ＵＡ１０は、それが、非指定搬送波に対するＰＤＣＣＨ許可（例えば、図５のＰＤＣＣＨ２）を受信するまで、非指定搬送波を活性化させる必要はない。非指定搬送波上の配分されたＰＤＳＣＨ領域は、４ｍｓオフセットされている、または遅延されるため、非指定搬送波上のリソースを配分するＰＤＣＣＨを受信した後、ＵＡ１０は、非指定搬送波を有効にする前に、ある期間待機することができる。そのようなものとして、ＵＡは、非指定搬送波を活性化させ、指定搬送波上のＰＤＣＣＨを受信した後、非指定搬送波上の対応するＰＤＳＣＨをバッファリング／処理するために、十分な時間を有する。
【００４２】
非指定搬送波の活性化を遅延させることによって、ＵＡのバッテリ消費は、ＵＡが、その時間のほとんどを非指定搬送波上でスリープモードのままでいることができるため、最小化することができ、非指定搬送波は、ＵＡが、非指定搬送波上のリソースを配分する、指定搬送波を介して、ＰＤＣＣＨを受信するとき、有効化されるのみである。いくつかの実装では、ＵＡは、２種類のスリープモードを実行してもよい。まず、「スリープ」（不連続的な受信またはＤＲＸと潜在的に同じ）は、ＲＦチェーンがオフにされた時に生じてもよい。この種類のスリープは、それが、ＲＦチェーンをオンに戻すように、ある量の時間（例えば、１〜２サブフレーム）を要するため、より長い期間（例えば、少なくともいくつかのサブフレーム）にわたって及んでもよい。対照的に、「マイクロスリープ」は、ＲＦチェーンが常にオンである時に生じてもよいが、ＰＤＣＣＨがチェックされ、ＵＡに対してＰＤＳＣＨ配分が見つからなかったらすぐに、ベースバンド処理（例えば、ＰＤＳＣＨサンプルのバッファリングおよび処理）を、オフにすることができる。したがって、この状況において、ＵＡは、その時間のほとんどを、非指定搬送波上でスリープモードのままであってもよく、それによって、ＵＡのバッテリ電力消費を低減する。
【００４３】
ＵＡが、非指定搬送波１２２上のＰＤＳＣＨを復号することを試行した後、ＵＡは、対応するアップリンク搬送波上のサブフレーム８において、ＡＣＫ／ＮＡＣＫ情報を伝送してもよい。ＮＡＣＫの場合、アクセスデバイス１２は、指定搬送波１２０上のサブフレーム１２において、別のＰＤＣＣＨ（ＰＤＣＣＨ２）を伝送してもよい。その場合、再伝送を伴う対応するＰＤＳＣＨが、非指定搬送波１２２上のサブフレーム１６において生じてもよい（重ねて、４サブフレーム分オフセットされている）。
【００４４】
図５において示される実施例において、ダウンリンク上では、ＵＡ１０は、非指定搬送波１２０上で、その時間のほとんどが不連続的な受信モードのままでありながら、サブフレーム４およびサブフレーム１６のＰＤＳＣＨ領域をバッファリングする／処理するのみである。ＵＡは、その時間の大部分が、非指定搬送波１２２上の不連続的な受信モードのままでありながら、非指定搬送波１２２上のあるサブフレームのＰＤＳＣＨ領域をバッファリング／処理のみを行うように構成されてもよい。不連続的な受信モードのままでいることによって、ＵＡは、エネルギー消費を最小化することができる。４ｍｓのオフセット（または、代替として、異なるオフセット値）は、ＵＡ１０が、ＰＤＳＣＨのバッファリング／処理のために準備するために、非指定搬送波１２２を活性化させるように、十分な時間を与えるように構成される。
【００４５】
しかしながら、本システムの他の実装では、指定および非指定搬送波の両方上のＰＤＳＣＨリソース配分は、本開示に従って、それらのリソース配分を確立するＰＤＣＣＨ伝送からオフセットされていてもよい。場合によっては、指定および非指定搬送波の両方上のオフセットは、同じ数のサブフレーム、または同じ持続時間であってもよい（例えば、指定および非指定搬送波の両方上のリソース配分が、４サブフレームまたは４ｍｓ分、ＰＤＣＣＨからオフセットされている）。しかしながら、他の場合、指定および非指定搬送波の両方上のＰＤＳＣＨリソース配分は、ＰＤＣＣＨから異なるおよびゼロ以外の量だけオフセットされている。
【００４６】
図６は、本システムの代替の実装の説明図であり、指定搬送波および非指定搬送波上のＰＤＳＣＨ間のオフセット１３４は、搬送波の１サブフレームよりも小さい。この実施例において、非指定搬送波に対するオフセット１３４は、ＲＲＣ信号伝達を使用して構成されてもよいか、または基準によって特定されてもよく、いくつかの実装では、オフセット値は、直交周波数分割多重（ＯＦＤＭ）シンボルの整数の倍数、または１スロットであってもよい。少なくとも１スロットの遅延のオフセット値は、アクセスデバイス１２によって伝送されるとき、異なる搬送波のダウンリンクサブフレーム境界が、相互に整合されないこと（図６によって説明されるように）を必要をしてもよいことに留意されたい。
【００４７】
図６を参照すると、ＰＤＳＣＨリソースは、図５において示される実装に従って、指定搬送波１３０および非指定搬送波１３２に対して予定される。すなわち、指定搬送波１３０および非指定搬送波１３２の両方上のリソースを配分するＰＤＣＣＨは、指定搬送波１３０を使用して、同じサブフレームにおいて伝送される。ＰＤＣＣＨが、指定搬送波１３０上のリソースを配分する場合、ＵＡ１０は、そのサブフレームで、指定搬送波１３０上のＰＤＳＣＨをバッファリングする／処理する。しかしながら、ＰＤＣＣＨが、非指定搬送波１３２上のリソースを配分する場合、ＵＡ１０は、非指定搬送波１３２を有効化し、次いで、既定の遅延後、非指定搬送波１３２上のＰＤＳＣＨのバッファリング／処理を開始する。しかしながら、図６において説明される実装では、アクセスデバイス１２は、対応するＰＤＣＣＨリソース指示と同じサブフレームにおいて、非指定搬送波１３２のＰＤＳＣＨを伝送する。
【００４８】
図６を参照すると、ＵＡ１０は、指定搬送波１３０上のサブフレーム０において、ＰＤＣＣＨを受信する。許可が、非指定搬送波１３２上のＰＤＳＣＨに対するものである場合、ＵＡ１０は、対応する非指定搬送波を活性化させ、非指定搬送波１３２のサブフレーム０において、非指定搬送波１３２のＰＤＳＣＨのバッファリング／処理を開始する。非指定搬送波のＰＤＳＣＨは、オフセット時間後に伝送されるため、ＵＡ１０は、ＵＡ１０が、ＰＤＣＣＨ復号の結果に基づいて、非指定搬送波１３２の受信を活性化させるべきかどうかを判断するために、十分な時間を有することができる。言い換えれば、ＵＡ１０は、その搬送波上にＰＤＣＣＨ許可がない時は、非指定搬送波１３２のＰＤＳＣＨをバッファリング／処理する必要はない。しかしながら、場合によっては、ＵＡ１０のＲＦチェーンは、ＲＦチェーンがオフである場合、１サブフレームよりも小さいオフセットが、ＲＦチェーンをオンにするための十分な時間を提供しない可能性があるため、一貫していてもよい。
【００４９】
図６の実装では、ＵＡ１０は依然として、ＰＤＳＣＨを受信した４サブフレーム後に、ＨＡＲＱ  ＡＣＫ／ＮＡＣＫを伝送するように構成されてもよい。そのようなものとして、ＵＡ１０は、ＡＣＫ／ＮＡＣＫ伝送のタイミングを変更する必要がなくてもよい。
【００５０】
本システムのいくつかの実装では、マルチキャリアネットワークにおける各搬送波は、制御チャネル（例えば、ＰＤＣＣＨ）を放送する。例えば、各搬送波は、図４ｂにおいて説明される、ＰＤＣＣＨ構成を使用してもよい。ＰＤＣＣＨ構成を使用して、図７は、本システムの実装を説明し、指定搬送波１４０および非指定搬送波１４２の両方は、リソースを配分するための制御チャネルを放送する。図７において示されるように、指定搬送波１４０は、既存の基準に従って、動作してもよい。しかしながら、非指定搬送波１４２において、ＰＤＳＣＨ伝送は、既定の数のサブフレームだけ、その対応するＰＤＣＣＨからオフセットされている。場合によっては、タイミングオフセットは、Ｒｅｌ−８において、アップリンクトラフィックにたいして使用されるものと同じオフセットであるように、４サブフレームに設定される。しかしながら、任意の数のサブフレームといった、他のオフセットを使用してもよい。オフセットは、動的もしくは半静的に構成する（例えば、ＲＲＣ信号伝達で）、または静的に構成することができる。いくつかの実装では、指定搬送波１４０において、ＰＤＳＣＨ伝送はまた、既定の数のサブフレームだけ、その対応するＰＤＣＣＨからオフセットされていてもよい。したがって、指定搬送波上のＰＤＣＣＨは、原初のＰＤＣＣＨが伝送された時間またはサブフレーム以外の時間またはサブフレームで、指定搬送波および非指定搬送波の両方上のリソースを配分してもよい。
【００５１】
図７において示されるように、非指定搬送波１４２に関して、サブフレーム０において、アクセスデバイス１２は、ＰＤＣＣＨ制御メッセージを、ＵＡ１０に伝送する。そのとき、ＵＡ１０は、ＰＤＣＣＨを復号するように、サブフレームのバッファリング／処理を開始する。ＵＡ１０が、サブフレーム０において、有効な許可を検出したかどうかにかかわらず、ＵＡ１０が、有効な許可を、オフセットされたサブフレームの数だけ早く（例えば、サブフレーム−４）受信しなかった場合、ＵＡ１０は、マイクロスリープモードに入ってもよく、サブフレームのバッファリング／処理を継続する必要はない。
【００５２】
例えば、ＵＡ１０が、非指定搬送波１４２上のサブフレーム０において、許可を復号しない場合、ＵＡ１０は、サブフレーム４のＰＤＣＣＨを受信した後、サブフレーム４の残りの部分（そのサブフレームにおけるＰＤＳＣＨに対応する）の間、直ちにマイクロスリープモードに入ってもよい。しかしながら、ＵＡ１０が、非指定搬送波１４２上のサブフレーム０において、許可を検出した場合、ＵＡ１０は、サブフレーム４におけるＰＤＣＣＨコンテンツにかかわらず、非指定搬送波１４２上のサブフレーム４において、ＰＤＳＣＨを受信する準備をする。同様にサブフレーム４を処理した後、ＵＡは、全体のサブフレームをバッファリング／処理してもよい。サブフレーム４において、ＰＤＳＣＨを復号することを試行した後、次いで、ＵＡ１０は、非指定搬送波１４２上のサブフレーム８において、ＡＣＫ／ＮＡＣＫ情報を伝送してもよい。ＮＡＣＫの場合、アクセスデバイス１２は、サブフレーム１２において、別のＰＤＣＣＨを、およびサブフレーム１６において、再伝送を伴う対応するＰＤＳＣＨを、全て非指定搬送波１４２上で、伝送してもよい。
【００５３】
この実装では、ＵＡ  １０は、非指定搬送波１４２、ならびに指定搬送波１４０のＰＤＣＣＨ領域を監視するように構成される。しかしながら、ＵＡは、非指定搬送波１４２のサブフレームの配分されていないＰＤＳＣＨ領域の間、潜在的にマイクロスリープモードに入ってもよい。このアプローチにおける、マイクロスリープの持続時間は、ＰＤＣＣＨおよび対応するＰＤＳＣＨが、同じサブフレームにおいて伝送される（Ｒｅｌ−８の場合のように）、従来のネットワーク実装のものよりも長くてもよい。ＰＤＣＣＨおよびＰＤＳＣＨの両方が、ともに伝送されるとき、ＰＤＣＣＨが復号されるまで、同じサブフレームのＰＤＳＣＨのバッファリングを開始する必要はなくてもよいが、ＰＤＣＣＨが、より早いサブフレームにおいて伝送される場合（図７における非指定搬送波１４２のように）、対応するＰＤＳＣＨが伝送される前に、ＰＤＣＣＨを復号がするための十分な時間があってもよい。
【００５４】
本システムのいくつかの実装では、非指定搬送波に対するＰＤＣＣＨ伝送とその対応するＰＤＳＣＨとの間のオフセットの使用は、ＲＲＣ信号伝達を使用して構成される。例えば、２つの非指定搬送波は、各々、４サブフレームのオフセットを使用してもよく、２つの他の非指定搬送波は、異なるオフセットを使用することができる、またはいかなるオフセットも使用しないことが可能である。非指定搬送波に対するオフセット情報は、ＰＤＣＣＨ上のその対応する搬送波インデックスまたは位置によって（例えば、所定のマッピング規則を使用して）、暗示的に信号伝達されてもよい。代替として、オフセット情報は、特定のＤＣＩのコンテンツ内で明示的に信号伝達されてもよい。
【００５５】
ＰＤＣＣＨ−ＰＤＳＣＨタイミングオフセットは、１つまたは複数の搬送波に対して有効化または無効化されてもよい。無効化されるとき、ＰＤＣＣＨおよび対応するＰＤＣＣＨは、各々、特定の搬送波上の同じサブフレームにおいて生じてもよい。この情報は、ｅＮＢといった、アクセスデバイスによって、暗示的または明示的に信号伝達され得る。
【００５６】
アクセスデバイスは、ＱｏＳ要件に依存して、指定搬送波または非指定搬送波のいずれかに、トラフィックを配置してもよい。例えば、音声サービスが、指定搬送波を介して提供されてもよく、ベストエフォートサービスを、非指定搬送波を介して提供することができる。このように、ＰＤＣＣＨからのＰＤＳＣＨオフセットに起因する付加的な遅延は、遅延に敏感なサービスに影響を及ぼさない。
【００５７】
いくつかのネットワーク構成において、ＰＤＳＣＨの受信の成功または失敗を確認するために使用される、アップリンクＡＣＫ／ＮＡＣＫリソースは、対応するＰＤＣＣＨ許可が送信される、最も小さいＣＣＥにマッピングされる。しかしながら、本システムにおいて、非指定搬送波上のＰＤＳＣＨ伝送は、遅延され得る（例えば、４ｍｓ）ため、第１のＵＡによって使用されるＡＣＫ／ＮＡＣＫリソースは、ＰＤＣＣＨが同じ指定搬送波に伝送される、第２のＵＡによって使用されるＡＣＫ／ＮＡＣＫリソースと衝突し得る。アップリンクＡＣＫ／ＮＡＣＫリソースの衝突を防止するために、一実施形態において、別個のＡＣＫ／ＮＡＣＫリソース領域は、ＰＤＳＣＨ割当が非指定搬送波上である、ＵＡに対して定義される。別個のＡＣＫ／ＮＡＣＫリソース領域は、放送ＲＲＣ信号伝達を使用して、アクセスデバイスによって定義されてもよい。代替として、別の実施形態において、対応するＰＤＳＣＨが伝送される、非指定搬送波の搬送波インジケータ（または搬送波インデックス）とともに、指定搬送波上のＰＤＣＣＨの最も小さいＣＣＥを使用して、ＡＣＫ／ＮＡＣＫリソースを判断する。例えば、ＡＣＫ／ＮＡＣＫを、チャネル上で伝送することができ、チャネル数は、指定搬送波上のＰＤＣＣＨの最も小さいＣＣＥのインデックス、ならびに対応するＰＤＳＣＨが伝送される、非指定搬送波の搬送波インジケータ（または搬送波インデックス）の両方を使用して判断される。
【００５８】
本システムのいくつかの実装では、ＰＤＣＣＨリソース配分と、対応するＰＤＳＣＨ伝送との間のオフセットは、ＤＣＩ内で明示的に、またはＰＤＣＣＨ内のＤＣＩの位置を介して暗示的に、ＰＤＣＣＨによって動的に信号伝達される。例えば、非指定搬送波のＤＣＩ内の２ビットを使用して、１、２、３、または４サブフレームのＰＤＳＣＨのオフセットを特定してもよい（例えば、バイナリ値、‘００’、‘０１’、‘１０’、および‘１１’を使用して）。
【００５９】
代替として、いくつかの実装では、非指定搬送波に対するＰＤＣＣＨが、指定搬送波上のＰＤＣＣＨによって、信号伝達される時（例えば、図４ａのＰＤＣＣＨ構造を参照されたい）、図８において示されるものといった、ＰＤＣＣＨに対する論理形式が使用されてもよい。図８は、指定および非指定搬送波の両方上のリソース配分を符号化する、ＰＤＣＣＨの説明図である。図８において、サブフレーム１５０は、指定搬送波上のリソースを配分するＰＤＣＣＨ１５２、および非指定搬送波上のリソースを配分するＰＤＣＣＨ１５４という、別個のＰＤＣＣＨ命令を含む。図８において、非指定搬送波に対するＰＤＣＣＨは、指定搬送波に対するＰＤＣＣＨとは別個である。そのようなものとして、非指定搬送波のＰＤＣＣＨは、Ｒｅｌ−８  ＵＡへのＰＤＳＣＨリソース配分に類似していてもよい。図８において説明される構造はまた、指定および非指定搬送波に対するＰＤＣＣＨが、組み合わされたリソース空間内で伝送される場合、使用されてもよい。
【００６０】
特定のＰＤＣＣＨリソース配分に対するオフセットが、動的に信号伝達される場合、単一のＰＤＣＣＨにおける複数のサブフレームを網羅する、ＰＤＳＣＨ配分を含むことも可能であってもよい。図９は、ＰＤＳＣＨリソース配分１６２、１６４、１６６、および１６８を含む、ＰＤＣＣＨ１６０の説明図である。単一のＰＤＣＣＨ内で、複数のＰＤＳＣＨリソースの配分を組み合わせることによって、全てのサブフレームのみではなく、むしろ、利用可能なサブフレームのサブセット（例えば、２または４サブフレームごと）上のみの非指定搬送波に対して、ＰＤＣＣＨを伝送しさえすればよい場合がある。図９は、対応するＰＤＳＣＨオフセットによって、別個にグループ化されているＰＤＣＣＨ上のリソース割当を説明するが、この説明は、例示的な表示に過ぎない。その結果、異なるＰＤＳＣＨサブフレームのオフセットに対するリソース割当は、ＰＤＣＣＨ内で相互と混合され得る。
【００６１】
本システムにおいて、ＰＤＣＣＨを含有する搬送波にかかわらず、ＰＤＣＣＨが、非指定搬送波に、ＰＤＳＣＨリソースを配分する場合、ＰＤＳＣＨは、ＰＤＣＣＨに対してオフセットされていてもよい。さらに、ＰＤＣＣＨが、指定搬送波上のＰＤＳＣＨを指定する場合、ＰＤＳＣＨは、その時間のほとんどを非指定搬送波上でスリープモードのままでありながら、指定搬送波上のＰＤＣＣＨに対して、オフセットされていなくてもよい。１つの実装では、ＵＡは、非指定搬送波上のあるサブフレームのＰＤＳＣＨ領域を、バッファリングする／処理するのみである。結果として、ＵＡのバッテリ電力消費は、著しく低減され得る。
【００６２】
場合によっては、搬送波集約は、ＵＡの即時的データ速度を増加させるためではなく、むしろ搬送波にわたる動的な負荷バランシングのために使用されてもよい。パケットデータトラフィックは、本来、散発的であり得るため、搬送波は、その搬送波を使用するユーザに対するトラフィックが急増しがちであるため、短期間で過密する場合がある。その場合、該システムは、特に、双方向性ビデオ、双方向性ゲーム等といった、遅延に敏感なサービスのために、それらの非指定搬送波上でユーザのうちの一部を予定するように構成されてもよい。さらに、多くの場合、ユーザは、複数の搬送波上で、予定される必要がなくてもよい。例えば、多くのモバイルアプリケーションにおいて、必要とされるデータ速度は、１Ｍｂｐｓを上回らなくてもよい。そのようなものとして、ＵＡが、指定搬送波上の過密を回避するように、非指定搬送波上で予定されるとき、ＵＡは、同時に指定搬送波上のＰＤＳＣＨリソースを割り当てられる必要はなく、それによって、ＵＡの電力消費を最小化する。
【００６３】
したがって、本システムの１つの実装では、ＵＡが、非指定搬送波上のＰＤＳＣＨリソースを割り当てる、その指定搬送波のＰＤＣＣＨ上のリソース許可（明示的または暗示的切替指示を含む）を受信するとき、非指定搬送波は、ＵＡに対する指定搬送波になり、ＵＡは、現在の指定搬送波上での信号受信を停止する。別の実装では、ＵＡが、非指定搬送波上のＰＤＳＣＨリソースを割り当てる。その指定搬送波のＰＤＣＣＨ上のリソース許可（明示的または暗示的切替指示を含む）を受信するとき、非指定搬送波は、ＵＡに対する指定搬送波になり、かつ、アクセスデバイスによって指示される場合、ＵＡは、非指定搬送波になる、現在の指定搬送波上での信号受信を継続する。
【００６４】
ＰＤＣＣＨ許可は、明示的指定搬送波切替指示を含んでもよい。例えば、１ビットが、ＵＡが、次いで指定搬送波になる、対応する非指定搬送波に切り替え、おそらく現在の指定搬送波上でのいかなるＨＡＲＱ再伝送も完了するまで、現在の指定搬送波上での信号受信を停止すべきかどうかを指示するように、ＤＣＩに含まれてもよい。代替として、明示的切替指示は、ＰＤＣＣＨ許可に含まれなくてもよく、切替命令は、暗示的に通信されてもよい。例えば、ＵＡが、指定搬送波および非指定搬送波の両方上のＰＤＳＣＨリソースに対するＰＤＣＣＨ許可を受信した場合、ＵＡは、許可を、切替を必要としないとして解釈するように、構成されてもよい。しかしながら、ＵＡが、非指定搬送波上のＰＤＳＣＨリソースに対するＰＤＣＣＨ許可を受信し、指定搬送波上のＰＤＳＣＨリソースに対するＰＤＣＣＨ許可を受信しない場合、ＵＡは、そのＰＤＣＣＨ許可を、指定搬送波の切替を必要とするとして解釈するように構成されてもよい。ＵＡが、複数のＰＤＣＣＨ許可を受信する場合、明示的インジケータ（例えば、ＤＣＩ形式の１ビットインジケータ）、または暗示的方法（例えば、最初に受信されたＰＤＣＣＨ許可によって指示される搬送波）を使用して、指定搬送波を切替し得る。別の実装では、明示的または暗示的指定搬送波切替指示に加え、ＰＤＣＣＨ許可は、ＵＡが、その時の指定搬送波上での信号受信を停止すべきかどうかを指示するように、ＤＣＩに別の指示を含んでもよい。代替として、ＵＡが、現在の指定搬送波上での信号受信を停止すべきかどうかの指示は、ＲＲＣ信号伝達といった、上層信号伝達を使用して、信号伝達されてもよい。その場合、ＵＡは、明示的または暗示的指定搬送波切替指示が、ＰＤＣＣＨ許可上で受信されるとき、現在の指定搬送波上での信号受信の継続または停止のいずれかを行うように、ＲＲＣ信号伝達といった、上層信号伝達を通して構成されてもよい。
【００６５】
動的搬送波切替において、誤検出の結果は、アクセスデバイスが１つの搬送波上で伝送している一方で、ＵＡが異なる搬送波上でのみ聴取している状態では、深刻であり得る。したがって、本システムにおいて、動的に搬送波を切り替えるとき、エラー保護は、プロセスの切替に組み込まれてもよい。そのようなものとして、該システムは、かかる命令に対する、事前に特定された予想された値に対して、対応するＤＣＩ内のあるフィールドの値を検証することによって、動的切替のために使用されるいかなるＰＤＣＣＨ伝送も実証するように構成されてもよい。さらなる実施形態において、いかなる実際のＰＤＳＣＨ割当も伴わない、動的指定搬送波切替コマンドを伝達するのみである、新しいＤＣＩ構造が定義されてもよい。かかるＤＣＩは、新しい指定搬送波の搬送波インジケータを含んでもよい。
【００６６】
本システムの１つの実装では、ＵＡが、非指定搬送波上のＰＤＳＣＨリソースを配分する、および明示的または暗示的切替指示を含む、ＰＤＣＣＨを受信した後、ＵＡは、指定搬送波上で送信されたＰＤＣＣＨの最も小さいＣＣＥインデックスに対応する、ＵＬ  ＡＣＫ／ＮＡＣＫリソース上で、４サブフレーム後にＵＬ  ＡＣＫを送信する。ＵＬ  ＡＣＫは、ＰＤＣＣＨ許可の受信の成功を確認する。そのようなものとして、アクセスデバイスは、ＵＡが対応する非指定搬送波に切り替わり、非指定搬送波がＵＡに対する新しい指定搬送波になるということを、合理的な確実性でもって知る。アクセスデバイスが、ＰＤＳＣＨに対するＵＬ  ＡＣＫ／ＮＡＣＫを受信した後、アクセスデバイスは、新しい指定搬送波上で送信されたＰＤＣＣＨ許可を使用して、新しい指定搬送波上の平行ＨＡＲＱチャネルのうちの１つ以上、または全てで、ＵＡへのＰＤＳＣＨリソースのスケジューリングを開始してもよい。
【００６７】
アクセスデバイスは、４サブフレーム後に、非指定搬送波上のＰＤＳＣＨリソースを配分し、搬送波切替が必要とされないことを指示する、ＰＤＣＣＨ許可を、ＵＡに送信するようにさらに構成されてもよい。この場合、ＵＡは、ＰＤＣＣＨ許可に対応するＵＬ  ＡＣＫを送信する必要はないが、ＵＡは、それが受信されると、ＰＤＳＣＨトラフィックに対応するＵＬ  ＡＣＫ／ＮＡＣＫを送信してもよい。
【００６８】
例えば、図１０は、搬送波切替を実装するＵＡの説明図であり、ＵＡは、搬送波切替の明示的確認応答を、アクセスデバイスに提供する。図１０のサブフレーム０において、ＵＡは、非指定搬送波１７２への切替が必要とされることを指示する、指定搬送波１７０上のＰＤＣＣＨ許可を受信する。サブフレーム４において、ＵＡは、ＵＬ  ＡＣＫ／ＮＡＣＫリソース上のアクセスデバイス１２に、指定搬送波１７０上の受信されたＰＤＣＣＨ許可の最も小さいＣＣＥに対応する、ＵＬ  ＡＣＫを送信する。サブフレーム８において、アクセスデバイス１２は、非指定搬送波１７２上で、ＵＡ１０へのＰＤＳＣＨ伝送のスケジューリングを開始し、非指定搬送波１７２上で対応するＰＤＣＣＨ許可を伝送する。サブフレーム８において、アクセスデバイス１２が、搬送波１７２上での第１のＰＤＣＣＨおよびＰＤＳＣＨ伝送を予定するとき、ＵＡ１０は、アクセスデバイス１２が、ＵＬ  ＡＣＫを受信したということを確認することができる。そのようなものとして、ＵＡ１０は、搬送波１７０から搬送波１７２に指定搬送波を切り替え、搬送波１７０は、非指定搬送波になる。
【００６９】
図１０において説明される実装では、エラー状態は、指定搬送波１７０からサブフレーム０において、ＵＡが、搬送波１７２への切替が必要とされることを指示する、ＰＤＣＣＨ許可の受信に成功した場合に存在する場合がある。ＰＤＣＣＨを受信した後、ＵＡは、サブフレーム４において、ＵＬ  ＡＣＫを、アクセスデバイスに送信するが、アクセスデバイスは、ＵＬ  ＡＣＫを復号することに失敗する。その場合、アクセスデバイスは、搬送波１７０上のサブフレーム８において、ＰＤＣＣＨ許可を再伝送してもよい。しかしながら、サブフレーム８において、アクセスデバイスは、搬送波１７２上で、ＰＤＣＣＨおよびＰＤＳＣＨを、ＵＡに伝送しない。
【００７０】
エラー状態を軽減するために、ＵＡ側では、ＵＡは、サブフレーム８において、ならびに潜在的に以前のおよび以降のサブフレームにおいて、両方の搬送波上のＰＤＣＣＨを監視し続ける。ＵＡが、搬送波１７０上の有効なＰＤＣＣＨ許可を復号し、搬送波１７２上の有効なＰＤＣＣＨ許可を復号しない場合、ＵＡは、アクセスデバイスが、ＵＡによって送信された以前のＵＬ  ＡＣＫを復号することに失敗したということを推測することができる。その場合、ＵＡは、指定搬送波の切替を遅延することができる。ＵＡは、搬送波１７０上のＰＤＣＣＨ許可の受信を確認するように、ＵＬ  ＡＣＫをアクセスデバイスに送信することができる。次いで、ＵＡが、アクセスデバイスがＵＬ  ＡＣＫの受信に成功したということを確認するまで、上で述べられるものと同様の手順が実装されてもよい。
【００７１】
別の潜在的なエラー状況において、ＵＡは、搬送波１７０上のサブフレーム０において、アクセスデバイスによって送信されたＰＤＣＣＨ許可を受信することに失敗する。したがって、ＵＡは、サブフレーム４において、ＵＬ  ＡＣＫを送信しない。しかしながら、アクセスデバイスは、誤アラーム検出を有してもよく、ＵＡが、サブフレーム４において、ＵＬ  ＡＣＫを送信したということを判断してもよい。次いで、アクセスデバイスは、ＵＡが、指定搬送波を搬送波１７２に切り替えたと仮定して、搬送波１７２上でのＰＤＣＣＨおよびＰＤＳＣＨのＵＡへの伝送を開始してもよい。しかしながら、ＵＡは、搬送波１７２に切り替えなかったため、ＵＡは、アクセスデバイスからのＰＤＣＣＨおよびＰＤＳＣＨ伝送を見逃し、ＰＤＳＣＨ上で伝送された輸送ブロックを確認するための、ＵＬ  ＡＣＫまたはＮＡＣＫを、アクセスデバイスに送信しない。その場合、搬送波１７２上でのＵＡからのＵＬ  ＡＣＫまたはＮＡＣＫの所定の数（Ｎ）の検出の失敗の後、アクセスデバイスは、ＵＡが、搬送波１７２への切替に失敗したということを判断するように構成されてもよい。次いで、アクセスデバイスは、搬送波１７０に再度切り替わり、搬送波１７０上で、ＰＤＣＣＨおよびＰＤＳＣＨのＵＡへの伝送を開始してもよい。
【００７２】
アクセスデバイスにおいて、エラー状況の検出の待ち時間を低減するために、Ｎの値は、搬送波１７２上でのＵＡへのＰＤＣＣＨ伝送に対して、保守的なＣＣＥ集約レベルを使用することによって、小さな値に構成することができる。そのようなものとして、ＵＡは、高い確率でもって、ＰＤＣＣＨ伝送の受信に成功し、したがって、対応するＰＤＳＣＨ伝送の受信の成功または失敗を確認するように、ＵＬ  ＡＣＫまたはＮＡＣＫを、アクセスデバイスに送信する。加えて、エラー状況の可能性は、ＰＤＣＣＨ許可が、搬送波切替が要求されるということを示すとき、搬送波１７０上でのＰＤＣＣＨ許可伝送に対して、保守的なＣＣＥ集約レベルを使用するアクセスデバイスによって、低減することができる。このように、ＵＡがＰＤＣＣＨ許可の受信に失敗する可能性は、最小化される。アクセスデバイスはまた、ＵＡが、正確に、これらの命令のうちの少なくとも１つを受信する確率を増加させるように、連続したサブフレームにわたって、複数の搬送波切替命令を送信してもよい。
【００７３】
本システムの別の実装では、ＵＡが、切替が必要とされるということを指示する、明示的または暗示的切替指示を伴った、非指定搬送波のＰＤＳＣＨリソースに対するＰＤＣＣＨ許可を受信するとき、ＵＡは、ＰＤＣＣＨ許可の受信を確認するためのＵＬ  ＡＣＫを送信しない。図１１は、搬送波切替を実装するＵＡの説明図であり、ＵＡは、搬送波切替の明示的確認応答を、アクセスデバイスに提供しない。図面では、サブフレーム０において、ＵＡは、非指定搬送波１８２への切替が必要とされることを指示する、ＰＤＣＣＨ許可を指定搬送波１８０上で受信する。サブフレーム４において、アクセスデバイスは、ＵＡへの搬送波１８２上での最初のＰＤＣＣＨおよびＰＤＳＣＨ伝送を予定する。サブフレーム８において、ＵＡは、ＰＤＳＣＨの受信の成功または失敗を確認するための、ＵＬ  ＡＣＫまたはＮＡＣＫをアクセスデバイスに送信する。アクセスデバイスが、サブフレーム８で、ＵＡからのＵＬ  ＡＣＫまたはＮＡＣＫ伝送の検出に成功した場合、アクセスデバイスは、ＵＡが、指定搬送波として、搬送波１８２に切り替わったということを確認することができる。アクセスデバイスは、平行ＨＡＲＱチャネルで、全ての以降のサブフレーム上でのＵＡへのＰＤＳＣＨ伝送のスケジューリングを開始してもよい。
【００７４】
しかしながら、本システムは、ＵＡが、搬送波１８２への切替が必要とされるということを指示する、搬送波１８０上のサブフレーム０において、アクセスデバイスによって送信されたＰＤＣＣＨ許可を復号することに失敗する、エラー状態になりやすい可能性がある。その場合、ＵＡは、サブフレーム４において、搬送波１８２上での受信を有効にするように、切り替わらなくてもよく、搬送波１８２上でのアクセスデバイスからのＰＤＣＣＨおよびＰＤＳＣＨ伝送を見逃す。しかしながら、このエラー状況は、上で説明されるものと同様の方法を使用して、軽減されてもよい。搬送波１８２上でのＵＡからのＵＬ  ＡＣＫまたはＮＡＣＫの所定の数（Ｎ）の検出の失敗後、アクセスデバイスは、ＵＡが、搬送波１８２への切替に失敗したということを判断するように構成されてもよい。その場合、アクセスデバイスは、搬送波１８０に再度切り替わり、搬送波１８０上で、ＰＤＣＣＨおよびＰＤＳＣＨのＵＡへの伝送を開始してもよい。
【００７５】
アクセスデバイスにおいて、エラー状況の検出の待ち時間を低減するために、Ｎの値は、搬送波１８２上でのＵＡへのＰＤＣＣＨ伝送に対して、保守的なＣＣＥ集約レベルを使用することによって、小さな値に構成することができる。そのようなものとして、ＵＡは高い確率でもって、ＰＤＣＣＨ伝送の受信に成功することができ、したがって、ＵＬ  ＡＣＫまたはＮＡＣＫを、アクセスデバイスに送信し、アクセスデバイスからの対応するＰＤＳＣＨ伝送の受信の成功または失敗を確認する。
【００７６】
加えて、エラー状況の可能性は、ＰＤＣＣＨ許可が、搬送波切替が要求されるということを示すとき、搬送波１８０上でのＰＤＣＣＨ許可伝送に対して、保守的なＣＣＥ集約レベルを使用するアクセスデバイスによって、低減することができる。したがって、ＵＡがＰＤＣＣＨ許可の受信に失敗する可能性は少ない。アクセスデバイスはまた、ＵＡが、正確に、これらの命令のうちの少なくとも１つを受信する確率を増加させるように、連続したサブフレームにわたって、複数の搬送波切替命令を送信してもよい。
【００７７】
図１２は、ＵＡ１０の実施形態を含む、無線通信システムを図示する。ＵＡ１０は、本開示の側面を実装するために動作可能であるが、本開示は、これらの実装に限定されるべきではない。携帯電話として図示されているが、ＵＡ１０は、無線ハンドセット、ポケットベル、携帯情報端末（ＰＤＡ）、携帯用コンピュータ、タブレットコンピュータ、ラップトップコンピュータを含む、種々の形態を成してもよい。多くの好適なデバイスは、これらの機能のうちのいくつかはまた全てを組み合わせる。本開示のいくつかの実施形態では、ＵＡ１０は、携帯用、ラップトップ、またはタブレットコンピュータのような汎用コンピュータデバイスではなく、むしろ、携帯電話、無線ハンドセット、ポケットベル、ＰＤＡ、または車両内に搭載される電気通信デバイス等の特殊用途通信デバイスである。また、ＵＡ１０は、デスクトップコンピュータ、セットトップボックス、またはネットワークノード等、同様の能力を有するが運搬可能ではないデバイスであってもよく、デバイスを含んでもよく、あるいはデバイス内に含められてもよい。ＵＡ１０は、ゲーム、在庫管理、ジョブ制御、および／またはタスク管理機能等、特殊活動をサポートしてもよい。
【００７８】
ＵＡ１０は、ディスプレイ７０２を含む。ＵＡ１０はまた、ユーザによる入力のために、概して７０４と称される、タッチセンサ式表面、キーボード、または他の入力キーも含む。キーボードは、ＱＷＥＲＴＹ、Ｄｖｏｒａｋ、ＡＺＥＲＴＹ、および逐次タイプ等の完全または縮小英数字キーボード、または電話キーパッドと関連するアルファベット文字を伴う従来の数字キーパッドであってもよい。入力キーは、さらなる入力機能を提供するように内向きに押下され得る、トラックホイール、終了またはエスケープキー、トラックボール、および他のナビゲーションまたは機能キーを含んでもよい。ＵＡ１０は、ユーザが選択するためのオプション、ユーザが作動させるための制御、および／またはユーザが指図するためのカーソルあるいは他のインジケータを提示してもよい。
【００７９】
ＵＡ１０はさらに、ＵＡ１０はさらに、ダイヤルする番号、またはＵＡ１０の動作を構成するための種々のパラメータ値を含む、ユーザからのデータ入力を受け取ってもよい。ＵＡ１０はさらに、ユーザコマンドに応じて、１つ以上のソフトウェアまたはファームウェアアプリケーションを実行してもよい。これらのアプリケーションは、ユーザ対話に応じて、種々のカスタマイズされた機能を果たすようにＵＡ１０を構成してもよい。加えて、ＵＡ１０は、例えば、無線基地局、無線アクセスポイント、またはピアＵＡ１０から、無線でプログラムおよび／または構成されてもよい。
【００８０】
ＵＡ１０によって実行可能な種々のアプリケーションの中には、ディスプレイ７０２がウェブページを表示することを可能にするウェブブラウザがある。ウェブページは、無線ネットワークアクセスノード、携帯電話の基地局、ピアＵＡ１０、または任意の他の無線通信ネットワークあるいはシステム７００との無線通信を介して、取得されてもよい。ネットワーク７００は、インターネット等の有線ネットワーク７０８に連結される。無線リンクおよび有線ネットワークを介して、ＵＡ１０は、サーバ７１０等の種々のサーバ上の情報にアクセスできる。サーバ７１０は、ディスプレイ７０２上に示されてもよい、コンテンツを提供してもよい。代替として、ＵＡ１０は、中継型またはホップ型接続で仲介としての役割を果たす、ピアＵＡ１０を通してネットワーク７００にアクセスしてもよい。
【００８１】
図１３は、ＵＡ１０のブロック図を示す。ＵＡ１０の種々の既知の構成要素が描写されているが、実施形態では、記載された構成要素の一部および／または記載されていない付加的な構成要素が、ＵＡ１０に含まれてもよい。ＵＡ１０は、デジタル信号プロセッサ（ＤＳＰ）８０２と、メモリ８０４とを含む。示されるように、ＵＡ１０はさらに、アンテナおよびフロントエンドユニット８０６と、無線周波数（ＲＦ）送受信機８０８と、アナログベースバンド処理ユニット８１０と、マイクロホン８１２と、イヤホンスピーカ８１４と、ヘッドセットポート８１６と、入力／出力インターフェース８１８と、可撤性メモリカード８２０と、ユニバーサルシリアルバス（ＵＳＢ）ポート８２２と、短距離無線通信サブシステム８２４と、アラート８２６と、キーパッド８２８と、タッチセンサ式表面を含んでもよい液晶ディスプレイ（ＬＣＤ）８３０と、ＬＣＤコントローラ８３２と、電荷結合素子（ＣＣＤ）カメラ８３４と、カメラコントローラ８３６と、グローバルポジショニングシステム（ＧＰＳ）センサ８３８とを含んでもよい。実施形態では、ＵＡ１０は、タッチセンサ式スクリーンを提供しない、別の種類のディスプレイを含んでもよい。ある実施形態では、ＤＳＰ８０２は、入力／出力インターフェース８１８を通過せずに、メモリ８０４と直接通信してもよい。
【００８２】
ＤＳＰ８０２または何らかの他の形態のコントローラあるいは中央処理ユニットは、メモリ８０４に記憶された、またはＤＳＰ８０２自体内に含有されるメモリに記憶された、組み込みソフトウェアまたはファームウェアに従って、ＵＡ１０の種々の構成要素を制御するように動作する。組み込みソフトウェアまたはファームウェアに加えて、ＤＳＰ８０２は、メモリ８０４に記憶された、または、可撤性メモリカード８２０のような携帯用データ記憶媒体等の情報搬送波媒体を介して、あるいは有線または無線ネットワーク通信を介して利用可能となる、他のアプリケーションを実行してもよい。アプリケーションソフトウェアは、所望の機能性を提供するようにＤＳＰ８０２を構成する、コンパイルされた一式の機械可読命令を備えてもよく、または、アプリケーションソフトウェアは、ＤＳＰ８０２を間接的に構成するようにインタープリタまたはコンパイラによって処理される、高次ソフトウェア命令であってもよい。
【００８３】
アンテナおよびフロントエンドユニット８０６は、無線信号と電気信号との間で変換するように提供されてもよく、ＵＡ１０が、セルラーネットワークまたは何らかの他の利用可能な無線通信ネットワークから、あるいはピアＵＡ１０から、情報を送受信することを可能にする。実施形態では、アンテナおよびフロントエンドユニット８０６は、ビーム形成および／または多重入出力（ＭＩＭＯ）動作をサポートするように複数のアンテナを含んでもよい。当業者に周知であるように、ＭＩＭＯ動作は、困難なチャネル条件を克服する、および／またはチャネルスループットを増加させるために使用することができる、空間的多様性を提供してもよい。アンテナおよびフロントエンドユニット８０６は、アンテナ同調および／またはインピーダンス整合構成要素、ＲＦ電力増幅器、および／または低雑音増幅器を含んでもよい。
【００８４】
ＲＦ送受信機８０８は、周波数偏移を提供し、受信したＲＦ信号をベースバンドに変換し、ベースバンド伝送信号をＲＦに変換する。いくつかの説明では、無線送受信機またはＲＦ送受信機は、変調／復調、符号化／復号、インターリービング／デインターリービング、拡散／逆拡散、逆高速フーリエ変換（ＩＦＦＴ）／高速フーリエ変換（ＦＦＴ）、周期的接頭辞添付／除去、および他の信号処理機能等、他の信号処理機能性を含むと理解されてもよい。簡単にする目的で、ここでの説明は、ＲＦおよび／または無線段階から、この信号処理の説明を分離し、その信号処理を、アナログベースバンド処理ユニット８１０および／またはＤＳＰ８０２あるいは他の中央処理ユニットに概念的に割り当てる。いくつかの実施形態では、ＲＦ送受信機８０８、アンテナおよびフロントエンド８０６の複数部分、およびアナログベースバンド処理ユニット８１０が、１つ以上の処理ユニットおよび／または特定用途向け集積回路（ＡＳＩＣ）に組み入れられてもよい。
【００８５】
アナログベースバンド処理ユニット８１０は、入力および出力の種々のアナログ処理、例えば、マイクロホン８１２およびヘッドセット８１６からの入力と、イヤホン８１４およびヘッドセット８１６への出力のアナログ処理を提供してもよい。その目的を達成するために、アナログベースバンド処理ユニット８１０は、ＵＡ１０が携帯電話として使用されることを可能にする、内蔵マイクロホン８１２およびイヤホンスピーカ８１４に接続するためのポートを有してもよい。さらに、アナログベースバンド処理ユニット８１０は、ヘッドセットまたは他のハンズフリーマイクロホンおよびスピーカ構成に接続するためのポートを含んでもよい。アナログベースバンド処理ユニット８１０は、１つの信号方向にデジタル・アナログ変換を、反対の信号方向にアナログ・デジタル変換を提供してもよい。いくつかの実施形態では、アナログベースバンド処理ユニット８１０の機能性の少なくとも一部が、デジタル処理構成要素によって、例えば、ＤＳＰ８０２によって、または他の中央処理ユニットによって提供されてもよい。
【００８６】
ＤＳＰ８０２は、変調／復調、符号化／復号、インターリービング／デインターリービング、拡散／逆拡散、逆高速フーリエ変換（ＩＦＦＴ）／高速フーリエ変換（ＦＦＴ）、周期的接頭辞添付／除去、および無線通信と関連する他の信号処理機能を行ってもよい。ある実施形態では、例えば、符号分割多重アクセス（ＣＤＭＡ）技術用途において、送信器機能のために、ＤＳＰ８０２は、変調、符号化、インターリービング、および拡散を行ってもよく、受信機機能のために、ＤＳＰ８０２は、逆拡散、デインターリービング、復号、および復調を行ってもよい。別の実施形態では、例えば、直交周波数分割多重アクセス（ＯＦＤＭＡ）技術用途において、送信器機能のために、ＤＳＰ８０２は、変調、符号化、インターリービング、逆高速フーリエ変換、および周期的接頭辞添付を行ってもよく、受信機機能のために、ＤＳＰ８０２は、周期的接頭辞除去、高速フーリエ変換、デインターリービング、復号、および復調を行ってもよい。他の無線技術用途では、さらに他の信号処理機能、および信号処理機能の組み合わせが、ＤＳＰ８０２によって行われてもよい。
【００８７】
ＤＳＰ８０２は、アナログベースバンド処理ユニット８１０を介して無線ネットワークと通信してもよい。いくつかの実施形態では、通信は、インターネット接続を提供し、ユーザがインターネット上のコンテンツへのアクセスを獲得すること、および電子メールまたはテキストメッセージを送受信することを可能にしてもよい。入力／出力インターフェース８１８は、ＤＳＰ８０２ならびに種々のメモリおよびインターフェースを相互接続する。メモリ８０４および可撤性メモリカード８２０は、ＤＳＰ８０２の動作を構成するようにソフトウェアおよびデータを提供してもよい。インターフェースの中には、ＵＳＢインターフェース８２２および短距離無線通信サブシステム８２４があってもよい。ＵＳＢインターフェース８２２は、ＵＡ１０を充電するために使用されてもよく、また、ＵＡ１０が、パーソナルコンピュータまたは他のコンピュータシステムと情報を交換するように周辺デバイスとして機能することを可能にしてもよい。短距離無線通信サブシステム８２４は、赤外線ポート、Ｂｌｕｅｔｏｏｔｈ（登録商標）インターフェース、ＩＥＥＥ  ８０２．１１準拠無線インターフェース、またはＵＡ１０が他の近くのモバイルデバイスおよび／または無線基地局と無線通信することを可能にしてもよい、任意の他の短距離無線通信サブシステムを含んでもよい。
【００８８】
入力／出力インターフェース８１８はさらに、トリガされると、例えば、ベルを鳴らす、メロディを再生する、または振動することによって、ＵＡ１０にユーザへ通知を提供させる、アラート８２６にＤＳＰ８０２を接続してもよい。アラート８２６は、無音で振動することによって、または特定の発呼者に対して特定の事前に割り当てられたメロディを再生することによって、着信電話、新しいテキストメッセージ、および予約のリマインダ等の種々の事象のうちのいずれかをユーザに警告するための機構としての機能を果たしてもよい。
【００８９】
キーパッド８２８は、インターフェース８１８を介してＤＳＰ８０２に連結し、ユーザが、選択を行う、情報を入力する、および別様にＵＡ１０に入力を提供するための１つの機能を提供する。キーボード８２８は、ＱＷＥＲＴＹ、Ｄｖｏｒａｋ、ＡＺＥＲＴＹ、および逐次タイプ等の完全または縮小英数字キーボード、または電話キーパッドと関連するアルファベット文字を伴う従来の数字キーパッドであってもよい。入力キーは、さらなる入力機能を提供するように内向きに押下され得る、トラックホイール、終了またはエスケープキー、トラックボール、および他のナビゲーションまたは機能キーを含んでもよい。別の入力機構は、タッチスクリーン能力を含み、また、ユーザにテキストおよび／またはグラフィックを表示してもよい、ＬＣＤ８３０であってもよい。ＬＣＤコントローラ８３２は、ＤＳＰ８０２をＬＣＤ８３０に連結する。
【００９０】
ＣＣＤカメラ８３４は、装備された場合、ＵＡ１０がデジタル写真を撮ることを可能にする。ＤＳＰ８０２は、カメラコントローラ８３６を介してＣＣＤカメラ８３４と通信する。別の実施形態では、電荷結合素子カメラ以外の技術に従って動作するカメラが採用されてもよい。ＧＰＳセンサ８３８は、グローバルポジショニングシステム信号を復号するようにＤＳＰ８０２に連結され、それによって、ＵＡ１０がその位置を判定することを可能にする。また、種々の他の周辺機器が、付加的な機能、例えば、ラジオおよびテレビ受信を提供するように含まれてもよい。
【００９１】
図１４は、ＤＳＰ８０２によって実装されてもよい、ソフトウェア環境９０２を図示する。ＤＳＰ８０２は、ソフトウェアの残りが動作する、プラットフォームを提供する、オペレーティングシステムドライバ９０４を実行する。オペレーティングシステムドライバ９０４は、ＵＡハードウェアのためのドライバに、アプリケーションソフトウェアにアクセス可能な標準インターフェースを提供する。オペレーティングシステムドライバ９０４は、ＵＡ１０上で作動するアプリケーション間で制御を移送する、アプリケーション管理サービス（「ＡＭＳ」）９０６を含む。また、図１４には、ウェブブラウザアプリケーション９０８、メディアプレーヤアプリケーション９１０、およびＪａｖａ（登録商標）アプレット９１２も示されている。ウェブブラウザアプリケーション９０８は、ウェブブラウザとして動作するようにＵＡ１０を構成し、ユーザがフォームに情報を入力し、ウェブページを読み出して閲覧するようにリンクを選択することを可能にする。メディアプレーヤアプリケーション９１０は、音声または視聴覚媒体を読み出し、再生するようにＵＡ１０を構成する。Ｊａｖａ（登録商標）アプレット９１２は、ゲーム、ユーティリティ、および他の機能性を提供するようにＵＡ１０を構成する。構成要素９１４は、本明細書で説明される機能性を提供する場合がある。
【００９２】
上記で説明されるＵＡ１０、アクセスデバイス１２０、および他の構成要素は、上記で説明される作用に関連する命令を実行することが可能である、処理構成要素を含む場合がある。図１５は、本明細書で開示される１つ以上の実施形態を実装するために好適な処理構成要素１０１０を含む、システム１０００の実施例を図示する。プロセッサ１０１０（中央プロセッサユニット（ＣＰＵまたはＤＳＰ）と呼ばれてもよい）に加えて、システム１０００は、ネットワーク接続デバイス１０２０と、ランダムアクセスメモリ（ＲＡＭ）１０３０と、読取専用メモリ（ＲＯＭ）１０４０と、二次記憶装置１０５０と、入力／出力（Ｉ／Ｏ）デバイス１０６０とを含む場合がある。いくつかの実施形態では、最小数のＨＡＲＱプロセスＩＤの判定を実装するためのプログラムがＲＯＭ１０４０に記憶されてもよい。場合によっては、これらの構成要素のうちのいくつかは存在しなくてもよく、または相互と、あるいは示されていない他の構成要素との種々の組み合わせで組み合わせられてもよい。これらの構成要素は、単一の物理エンティティ内、または２つ以上の物理エンティティ内に位置する場合がある。プロセッサ１０１０によって講じられるものとして本明細書で説明される措置は、プロセッサ１０１０のみによって、あるいは図中に示される、または示されない１つ以上の構成要素と協働するプロセッサ１０１０によって、講じられる場合がある。
【００９３】
プロセッサ１０１０は、それがネットワーク接続デバイス１０２０、ＲＡＭ１０３０、ＲＯＭ１０４０、または二次記憶装置１０５０（ハードディスク、フロッピー（登録商標）ディスク、または光ディスク等、種々のディスクベースのシステムを含む場合がある）からアクセスする場合がある、命令、コード、コンピュータプログラム、またはスクリプトを実行する。１つのプロセッサ１０１０のみが示されているが、複数のプロセッサが存在してもよい。したがって、命令は、プロセッサによって実行されるものとして論議されてもよいが、命令は、同時に、順次、あるいは別様に１つまたは複数のプロセッサによって実行されてもよい。プロセッサ１０１０は、１つ以上のＣＰＵチップとして実装されてもよい。
【００９４】
ネットワーク接続デバイス１０２０は、モデム、モデムバンク、イーサネット（登録商標）デバイス、ユニバーサルシリアルバス（ＵＳＢ）インターフェースデバイス、シリアルインターフェース、トークンリングデバイス、光ファイバ分散データインターフェース（ＦＤＤＩ）デバイス、無線ローカルエリアネットワーク（ＷＬＡＮ）デバイス、符号分割多重アクセス（ＣＤＭＡ）デバイス、グローバルシステムフォーモバイルコミュニケーションズ（ＧＳＭ（登録商標））無線送受信機デバイス等の無線送受信機デバイス、マイクロ波アクセス用の世界的相互運用性（ＷｉＭＡＸ）デバイス、および／またはネットワークに接続するための他の周知のデバイスの形態を成してもよい。これらのネットワーク接続性デバイス１０２０によって、プロセッサ１０１０が情報を受信する場合があるか、またはプロセッサ１０１０が情報を出力する場合がある、インターネット、あるいは１つ以上の電気無線通信ネットワークまたは他のネットワークと、プロセッサ１０１０が通信することを可能にしてもよい。
【００９５】
ネットワーク接続デバイス１０２０はまた、無線周波数信号またはマイクロ波周波数信号等の電磁波の形態で、データを無線で伝送および／または受信することが可能な１つ以上の送受信機構成要素１０２５も含む場合がある。代替として、データは、導電体の表面内または上、同軸ケーブル内、導波管内、光ファイバ等の光媒体内、あるいは他の媒体内を伝播してもよい。送受信機構成要素１０２５は、別個の受信および送信ユニット、または単一の送受信機を含んでもよい。送受信機１０２５によって伝送または受信される情報は、プロセッサ１０１０によって処理されたデータ、またはプロセッサ１０１０によって実行される命令を含んでもよい。そのような情報は、例えば、コンピュータデータベースバンド信号または搬送波で具現化される信号の形態で、ネットワークから受信され、ネットワークに出力されてもよい。データは、データを処理または生成するため、あるいはデータを伝送または受信するために望ましくてもよい、異なるシーケンスに従って順序付けられてもよい。ベースバンド信号、搬送波に統合される信号、あるいは現在使用されている、または今後開発される他の種類の信号は、伝送媒体と称されてもよく、当業者に周知のいくつかの方法に従って生成されてもよい。
【００９６】
ＲＡＭ１０３０は、揮発性データを記憶するため、およびおそらくプロセッサ１０１０によって実行される命令を記憶するために使用される場合がある。ＲＯＭ１０４０は、典型的には二次記憶装置１０５０のメモリ能力よりも小さいメモリ能力を有する、不揮発性メモリデバイスである。ＲＯＭ１０４０は、命令、およびおそらく命令の実行中に読み出されるデータを記憶するために使用される場合がある。ＲＡＭ１０３０およびＲＯＭ１０４０の両方へのアクセスは、典型的には、二次記憶装置１０５０へのアクセスよりも速い。二次記憶装置１０３０は、典型的には、１つ以上のディスクドライブまたはテープドライブから成り、ＲＡＭ１０３０が全ての作業用データを保持するのに十分大きくない場合、データの不揮発性保存用に、またはオーバーフローデータ記憶デバイスとして使用される場合がある。二次記憶装置１０５０は、プログラムが実行用に選択されるとき、ＲＡＭ１０３０へロードされるプログラムを記憶するために使用されてもよい。
【００９７】
Ｉ／Ｏデバイス１０６０は、液晶ディスプレイ（ＬＣＤ）、タッチスクリーンディスプレイ、キーボード、キーパッド、スイッチ、ダイヤル、マウス、トラックボール、音声認識装置、カード読取装置、紙テープ読取装置、プリンタ、ビデオモニタ、または他の周知の入力デバイスを含んでもよい。また、送受信機１０２５は、ネットワーク接続デバイス１０２０の構成要素である代わりに、またはそれに加えて、Ｉ／Ｏデバイス１０６０の構成要素と見なされる場合がある。Ｉ／Ｏデバイス１０６０のうちのいくつかまたは全ては、ディスプレイ７０２および入力７０４等の、ＵＡ１０の以前に説明された図面で描写される種々の構成要素と実質的に同様であってもよい。
【００９８】
ＴＳ  ３６．３２１、ＴＳ  ３６．３３１、およびＴＳ  ３６．３００、ＴＳ  ３６．２１１、ＴＳ  ３６．２１２、およびＴＳ  ３６．２１３といった、３ｒｄ  Ｇｅｎｅｒａｔｉｏｎ  Ｐａｒｔｎｅｒｓｈｉｐ  Ｐｒｏｊｅｃｔ（３ＧＰＰ）Ｔｅｃｈｎｉｃａｌ  Ｓｐｅｃｉｆｉｃａｔｉｏｎｓ（ＴＳ）が、参照することにより本明細書に組み込まれる。
【００９９】
いくつかの実施形態が、本開示で提供されているが、開示されたシステムおよび方法が、本開示の精神または範囲から逸脱することなく、多くの他の特定の形態で具現化されてもよいことを理解されたい。本実施例は、制限的ではなく例証的と見なされ、本明細書で提供される詳細に限定されることを意図しない。例えば、種々の要素または構成要素を、別のシステムに組み入れるか、または一体化してもよく、あるいは、ある特徴を省略するか、または実装しなくてもよい。
【０１００】
また、個別または別個のものとして種々の実施形態において説明および例証される技法、システム、サブシステム、および方法を、本開示の範囲から逸脱することなく、他のシステム、モジュール、技法、または方法に組み入れるか、または一体化してもよい。連結もしくは直接連結または相互に通信するように図示または説明される他のアイテムは、電気的、機械的、またはその他の方法かどうかにかかわらず、何らかのインターフェース、デバイス、または中間構成要素を通して、間接的に連結または通信してもよい。変更、置換、および改変の他の例は、当業者により解明可能であり、本明細書で開示される精神および範囲から逸脱することなく行うことができる。
【０１０１】
本発明の範囲を公に周知させるため、以下の特許請求の範囲が請求される。
【図３】
2013502841.tif 000003
【図４ａ】
2013502841.tif 000004
【図４ｂ】
2013502841.tif 000005
【図５】
2013502841.tif 000006
【図７】
2013502841.tif 000007
【図８】
2013502841.tif 000008
【図９】
2013502841.tif 000009
【図１０】
2013502841.tif 000010
【図１１】
2013502841.tif 000011
【図１２】
2013502841.tif 000012
【図１３】
2013502841.tif 000013
【図１４】
2013502841.tif 000014
【図１５】
2013502841.tif 000015
【図１】
2013502841.tif 000016
【図２】
2013502841.tif 000017
【図６】
2013502841.tif 000018
【手続補正書】
【提出日】平成24年4月10日(2012.4.10)
【手続補正１】
【補正対象書類名】特許請求の範囲
【補正対象項目名】全文
【補正方法】変更
【補正の内容】
【特許請求の範囲】
【請求項１】
ユーザエージェント（ＵＡ）を用いてデータを受信する方法であって、該ユーザエージェントは、第１の通信搬送波および第２の通信搬送波を用いて無線通信ネットワークと通信するように構成されており、
該方法は、
該第１の通信搬送波の第１の時間間隔中に制御情報を受信することであって、該制御情報は、該第１の通信搬送波および該第２の通信搬送波のうちの少なくとも１つにおいてリソースを割り当てる、ことと、
該制御情報が、該第１の通信搬送波においてリソースを割り当てるとき、第２の時間間隔中に、該第１の通信搬送波を用いてデータを受信することと、
該制御情報が、該第２の通信搬送波においてリソースを割り当てるとき、第３の時間間隔中に、該第２の通信搬送波を用いてデータを受信することであって、該第３の時間間隔は、該第１の時間間隔からオフセットされている、ことと
を含む、方法。
【請求項２】
前記第１の時間間隔、前記第２の時間間隔、および前記第３の時間間隔は、それぞれ、前記第１の通信搬送波および前記第２の通信搬送波のうちの少なくとも１つにおいてサブフレームを識別する、請求項１に記載の方法。
【請求項３】
前記第１の時間間隔は、前記第２の時間間隔とほぼ同時に発生する、請求項１に記載の方法。
【請求項４】
前記第２の時間間隔は、前記第１の時間間隔からオフセットされている、請求項１に記載の方法。
【請求項５】
前記第１の時間間隔は、前記第１の通信搬送波上の第１のサブフレームであり、前記第２の時間間隔は、該第１の通信搬送波上の第２のサブフレームであり、前記第３の時間間隔は、前記第２の通信搬送波上の第３のサブフレームであり、該第３のサブフレームは、該第１のサブフレームの後に続く、請求項１に記載の方法。
【請求項６】
前記第２の通信搬送波上の前記第３のサブフレームは、前記第１の通信搬送波上の前記第１のサブフレームから、４つのサブフレーム分だけオフセットされている、請求項５に記載の方法。
【請求項７】
前記制御情報は、前記第１の通信搬送波を用いて受信される、請求項１に記載の方法。
【請求項８】
前記第３の時間間隔と前記第１の時間間隔との間のオフセットは、１つのサブフレーム未満である、請求項１に記載の方法。
【請求項９】
前記第３の時間間隔と前記第１の時間間隔との間のオフセットは、無線リソース制御（ＲＲＣ）メッセージを用いて構成されている、請求項１に記載の方法。
【請求項１０】
前記第３の時間間隔と前記第１の時間間隔との間のオフセットは、約４つのサブフレームである、請求項１に記載の方法。
【請求項１１】
前記第３の時間間隔と前記第１の時間間隔との間のオフセットは、前記第２の通信搬送波の搬送波インデックス値によって、暗示的に信号伝達される、請求項１に記載の方法。
【請求項１２】
前記第３の時間間隔と前記第１の時間間隔との間のオフセットは、所定のマッピング規則によって、暗示的に信号伝達される、請求項１に記載の方法。
【請求項１３】
前記所定のマッピング規則は、前記第１の通信搬送波によって提供される物理ダウンリンク制御チャネル（ＰＤＣＣＨ）上の前記制御情報の位置を用いる、請求項１２に記載の方法。
【請求項１４】
前記第３の時間間隔と前記第１の時間間隔との間のオフセットは、事前構成されている、請求項１に記載の方法。
【請求項１５】
前記制御情報が、第３の通信搬送波においてリソースを割り当てるとき、前記第２の時間間隔中に、該第３の通信搬送波を用いてデータを受信することを含む、請求項１に記載の方法。
【請求項１６】
前記制御情報は、前記無線通信ネットワークのサービス品質（ＱｏＳ）要件に従って、前記第１の通信搬送波および前記第２の通信搬送波のうちの少なくとも１つにおいてリソースを割り当てる、請求項１に記載の方法。
【請求項１７】
前記制御情報が、前記第１の通信搬送波においてリソースを割り当てるとき、第１のＡＣＫ／ＮＡＣＫリソースを用いて確認応答および非確認応答（ＡＣＫ／ＮＡＣＫ）メッセージのうちの少なくとも１つを伝送することと、
該制御情報が、前記第２の通信搬送波においてリソースを割り当てるとき、第２のＡＣＫ／ＮＡＣＫリソースを用いてＡＣＫ／ＮＡＣＫメッセージを伝送することと
を含む、請求項１に記載の方法。
【請求項１８】
前記ＡＣＫ／ＮＡＣＫに対する前記割り当てられたリソースは、無線リソース制御（ＲＲＣ）信号伝達を用いて信号伝達される、請求項１７に記載の方法。
【請求項１９】
前記ＡＣＫ／ＮＡＣＫに対する前記割り当てられたリソースは、前記制御チャネル上で最も小さい制御チャネル要素（ＣＣＥ）と、前記第２の通信搬送波のインジケータとを用いて特定される、請求項１７に記載の方法。
【請求項２０】
前記第３の時間間隔の前記オフセットは、前記制御チャネル内で動的に信号伝達される、請求項１に記載の方法。
【請求項２１】
前記第３の時間間隔の前記オフセットは、前記制御チャネルを介して伝送されるダウンリンク制御情報（ＤＣＩ）メッセージを用いて動的に信号伝達される、請求項２０に記載の方法。
【請求項２２】
前記第３の時間間隔の前記オフセットは、前記制御チャネル内で、データ制御情報（ＤＣＩ）伝送のリソース位置を用いて動的に信号伝達される、請求項２０に記載の方法。
【請求項２３】
前記制御情報が、前記第２の通信搬送波において複数のリソースを割り当て、該複数のリソースは、それぞれ、該第２の通信搬送波上の異なるサブフレームに割り当てられる、請求項１に記載の方法。
【請求項２４】
前記制御情報は、前記第１の通信搬送波の物理ダウンリンク共有チャネルを介して伝送される、請求項２３に記載の方法。
【請求項２５】
第１の通信搬送波および第２の通信搬送波を用いて、無線通信ネットワークと通信するように構成されているユーザエージェント（ＵＡ）であって、
該ユーザエージェントはプロセッサを備え、
該プロセッサは、
該第１の通信搬送波の第１の時間間隔中に制御情報を受信することであって、該制御情報は、該第１の通信搬送波および該第２の通信搬送波のうちの少なくとも１つにおいてリソースを割り当てる、ことと、
該制御情報が、該第１の通信搬送波においてリソースを割り当てるとき、第２の時間間隔中に、該第１の通信搬送波を用いてデータを受信することと、
該制御情報が、該第２の通信搬送波においてリソースを割り当てるとき、第３の時間間隔中に、該第２の通信搬送波を用いてデータを受信することであって、該第３の時間間隔は、該第１の時間間隔からオフセットされている、ことと
を行うように構成される、ＵＡ。
【請求項２６】
前記第１の時間間隔は、前記第１の通信搬送波上の第１のサブフレームであり、前記第２の時間間隔は、該第１の通信搬送波上の第２のサブフレームであり、前記第３の時間間隔は、前記第２の通信搬送波上の第３のサブフレームであり、該第３のサブフレームは、該第１のサブフレームの後に続く、請求項２５に記載のＵＡ。
【請求項２７】
前記制御情報は、前記第１の通信搬送波を用いて受信される、請求項２５に記載のＵＡ。
【請求項２８】
前記第１の時間間隔からの前記第３の時間間隔のオフセットは、１つのサブフレーム未満である、請求項２５に記載のＵＡ。
【請求項２９】
前記第１の時間間隔からの前記第３の時間間隔のオフセットは、無線リソース制御（ＲＲＣ）メッセージを用いて構成されている、請求項２５に記載のＵＡ。
【請求項３０】
前記第１の時間間隔からの前記第３の時間間隔のオフセットは、約４ミリ秒（４ｍｓ）である、請求項２５に記載のＵＡ。
【請求項３１】
前記制御情報が、第３の通信搬送波上のリソースを割り当てるとき、前記プロセッサは、第４の時間間隔の間に、該第３の通信搬送波を用いてデータを受信するように構成されている、請求項２５に記載のＵＡ。
【請求項３２】
前記制御情報が、前記第１の通信搬送波上のリソースを割り当てるとき、前記プロセッサは、第１のＡＣＫ／ＮＡＣＫリソースを用いて、確認応答および非確認応答（ＡＣＫ／ＮＡＣＫ）メッセージのうちの少なくとも１つを伝送するように構成され、
該制御情報が、前記第２の通信搬送波上のリソースを割り当てるとき、該プロセッサは、第２のＡＣＫ／ＮＡＣＫリソースを用いて、ＡＣＫ／ＮＡＣＫメッセージを伝送するように構成されている、請求項２５に記載のＵＡ。
【請求項３３】
無線通信システムであって、該無線通信システムは、ユーザエージェント（ＵＡ）に、該無線通信システムの第１の通信搬送波および第２の通信搬送波のうちの少なくとも１つにおいてリソースを割り当て、
該無線通信システムは、基地局を備え、
該基地局は、
該第１の通信搬送波を用いて第１の時間間隔中に制御情報を伝送することであって、該制御情報は、該第１の通信搬送波および該第２の通信搬送波のうちの少なくとも１つにおいてリソースを割り当てる、ことと、
該制御情報が該第１の通信搬送波においてリソースを割り当てるとき、第２の時間間隔中に該第１の通信搬送波を用いてデータを伝送することと、
該制御情報が該第２の通信搬送波上のリソースを割り当てるとき、第３の時間間隔中に、該第２の通信搬送波を用いてデータを伝送することであって、該第３の時間間隔は、該第１の時間間隔からオフセットされている、ことと
を行うように構成されている、無線通信システム。
【請求項３４】
前記第１の時間間隔は、前記第１の通信搬送波上の第１のサブフレームであり、前記第２の時間間隔は、該第１の通信搬送波上の第２のサブフレームであり、前記第３の時間間隔は、前記第２の通信搬送波上の第３のサブフレームであり、該第３のサブフレームは、該第１のサブフレームの後に続く、請求項３３に記載の無線通信システム。
【請求項３５】
前記制御情報は、前記第１の通信搬送波を用いて受信される、請求項３３に記載の無線通信システム。
【請求項３６】
前記第１の時間間隔からの前記第３の時間間隔のオフセットは、１つのサブフレーム未満である、請求項３３に記載の無線通信システム。
【請求項３７】
前記第１の時間間隔からの前記第３の時間間隔のオフセットは、無線リソース制御（ＲＲＣ）メッセージを用いて構成されている、請求項３３に記載の無線通信システム。
【請求項３８】
前記第１の時間間隔からの前記第３の時間間隔のオフセットは、約４ミリ秒（４ｍｓ）である、請求項３３に記載の無線通信システム。
【請求項３９】
前記制御情報が、第３の通信搬送波上のリソースを割り当てるとき、前記基地局は、第４の時間間隔の間に、該第３の通信搬送波を用いてデータを伝送するように構成されている、請求項３３に記載の無線通信システム。
【請求項４０】
無線通信システムであって、該無線通信システムは、ユーザエージェント（ＵＡ）に該無線通信システムの第１の通信搬送波および第２の通信搬送波のうちの少なくとも１つにおいてリソースを割り当て、
該無線通信システムは、
該第１の通信搬送波を提供する第１の基地局と、
該第２の通信搬送波を提供する第２の基地局と
を備えており、
該第１の基地局は、
該第１の通信搬送波を用いて第１の時間間隔中に制御情報を伝送することであって、該制御情報は、該第１の通信搬送波および該第２の通信搬送波のうちの少なくとも１つにおいてリソースを割り当てる、ことと、
該制御情報が、該第１の通信搬送波においてリソースを割り当てるとき、該第１の時間間隔中に該第１の通信搬送波を用いてデータを伝送することと
を行うように構成され、
該第２の基地局は、
該制御情報が、該第２の通信搬送波においてリソースを割り当てるとき、第２の時間間隔中に該第２の通信搬送波を用いてデータを伝送するように構成され、該第２の時間間隔は、該第１の時間間隔からオフセットされている、無線通信システム。
【手続補正２】
【補正対象書類名】明細書
【補正対象項目名】００１０
【補正方法】変更
【補正の内容】
【００１０】
本開示をより完全に理解するために、添付の図面および発明を実施するための形態と併せて理解される、以下の簡単な説明を参照し、類似参照数字は、類似部品を表す。
例えば、本発明は以下の項目を提供する。
（項目１）
ユーザエージェント（ＵＡ）を用いてデータを受信する方法であって、該ユーザエージェントは、第１の通信搬送波および第２の通信搬送波を用いて無線通信ネットワークと通信するように構成されており、
該方法は、
第１の時間間隔中に制御情報を受信することであって、該制御情報は、該第１の通信搬送波および該第２の通信搬送波のうちの少なくとも１つにおいてリソースを割り当てる、ことと、
該制御情報が、該第１の通信搬送波においてリソースを割り当てるとき、第２の時間間隔中に、該第１の通信搬送波を用いてデータを受信することと、
該制御情報が、該第２の通信搬送波においてリソースを割り当てるとき、第３の時間間隔中に、該第２の通信搬送波を用いてデータを受信することであって、該第３の時間間隔は、該第１の時間間隔からオフセットされている、ことと
を含む、方法。
（項目２）
上記第１の時間間隔、上記第２の時間間隔、および上記第３の時間間隔は、それぞれ、上記第１の通信搬送波および上記第２の通信搬送波のうちの少なくとも１つにおいてサブフレームを識別する、項目１に記載の方法。
（項目３）
上記第１の時間間隔は、上記第２の時間間隔とほぼ同時に発生する、項目１に記載の方法。
（項目４）
上記第２の時間間隔は、上記第１の時間間隔からオフセットされている、項目１に記載の方法。
（項目５）
上記第１の時間間隔は、上記第１の通信搬送波上の第１のサブフレームであり、上記第２の時間間隔は、該第１の通信搬送波上の第２のサブフレームであり、上記第３の時間間隔は、上記第２の通信搬送波上の第３のサブフレームであり、該第３のサブフレームは、該第１のサブフレームの後に続く、項目１に記載の方法。
（項目６）
上記第２の通信搬送波上の上記第３のサブフレームは、上記第１の通信搬送波上の上記第１のサブフレームから、４つのサブフレーム分だけオフセットされている、項目５に記載の方法。
（項目７）
上記制御情報は、上記第１の通信搬送波を用いて受信される、項目１に記載の方法。
（項目８）
上記第３の時間間隔と上記第１の時間間隔との間のオフセットは、１つのサブフレーム未満である、項目１に記載の方法。
（項目９）
上記第３の時間間隔と上記第１の時間間隔との間のオフセットは、無線リソース制御（ＲＲＣ）メッセージを用いて構成されている、項目１に記載の方法。
（項目１０）
上記第３の時間間隔と上記第１の時間間隔との間のオフセットは、約４つのサブフレームである、項目１に記載の方法。
（項目１１）
上記第３の時間間隔と上記第１の時間間隔との間のオフセットは、上記第２の通信搬送波の搬送波インデックス値によって、暗示的に信号伝達される、項目１に記載の方法。
（項目１２）
上記第３の時間間隔と上記第１の時間間隔との間のオフセットは、所定のマッピング規則によって、暗示的に信号伝達される、項目１に記載の方法。
（項目１３）
上記所定のマッピング規則は、上記第１の通信搬送波によって提供される物理ダウンリンク制御チャネル（ＰＤＣＣＨ）上の上記制御情報の位置を用いる、項目１２に記載の方法。
（項目１４）
上記第３の時間間隔と上記第１の時間間隔との間のオフセットは、事前構成されている、項目１に記載の方法。
（項目１５）
上記制御情報が、第３の通信搬送波においてリソースを割り当てるとき、上記第２の時間間隔中に、該第３の通信搬送波を用いてデータを受信することを含む、項目１に記載の方法。
（項目１６）
上記制御情報は、上記無線通信ネットワークのサービス品質（ＱｏＳ）要件に従って、上記第１の通信搬送波および上記第２の通信搬送波のうちの少なくとも１つにおいてリソースを割り当てる、項目１に記載の方法。
（項目１７）
上記制御情報が、上記第１の通信搬送波においてリソースを割り当てるとき、第１のＡＣＫ／ＮＡＣＫリソースを用いて確認応答および非確認応答（ＡＣＫ／ＮＡＣＫ）メッセージのうちの少なくとも１つを伝送することと、
該制御情報が、上記第２の通信搬送波においてリソースを割り当てるとき、第２のＡＣＫ／ＮＡＣＫリソースを用いてＡＣＫ／ＮＡＣＫメッセージを伝送することと
を含む、項目１に記載の方法。
（項目１８）
上記ＡＣＫ／ＮＡＣＫに対する上記割り当てられたリソースは、無線リソース制御（ＲＲＣ）信号伝達を用いて信号伝達される、項目１７に記載の方法。
（項目１９）
上記ＡＣＫ／ＮＡＣＫに対する上記割り当てられたリソースは、上記制御チャネル上で最も小さい制御チャネル要素（ＣＣＥ）と、上記第２の通信搬送波のインジケータとを用いて特定される、項目１７に記載の方法。
（項目２０）
上記第３の時間間隔の上記オフセットは、上記制御チャネル内で動的に信号伝達される、項目１に記載の方法。
（項目２１）
上記第３の時間間隔の上記オフセットは、上記制御チャネルを介して伝送されるダウンリンク制御情報（ＤＣＩ）メッセージを用いて動的に信号伝達される、項目２０に記載の方法。
（項目２２）
上記第３の時間間隔の上記オフセットは、上記制御チャネル内で、データ制御情報（ＤＣＩ）伝送のリソース位置を用いて動的に信号伝達される、項目２０に記載の方法。
（項目２３）
上記制御情報が、上記第２の通信搬送波において複数のリソースを割り当て、該複数のリソースは、それぞれ、該第２の通信搬送波上の異なるサブフレームに割り当てられる、項目１に記載の方法。
（項目２４）
上記制御情報は、上記第１の通信搬送波の物理ダウンリンク共有チャネルを介して伝送される、項目２３に記載の方法。
（項目２５）
第１の通信搬送波および第２の通信搬送波を用いて、無線通信ネットワークと通信するように構成されているユーザエージェント（ＵＡ）であって、
該ユーザエージェントはプロセッサを備え、
該プロセッサは、
第１の時間間隔中に制御情報を受信することであって、該制御情報は、該第１の通信搬送波および該第２の通信搬送波のうちの少なくとも１つにおいてリソースを割り当てる、ことと、
該制御情報が、該第１の通信搬送波においてリソースを割り当てるとき、第２の時間間隔中に、該第１の通信搬送波を用いてデータを受信することと、
該制御情報が、該第２の通信搬送波においてリソースを割り当てるとき、第３の時間間隔中に、該第２の通信搬送波を用いてデータを受信することであって、該第３の時間間隔は、該第１の時間間隔からオフセットされている、ことと
を行うように構成される、ＵＡ。
（項目２６）
上記第１の時間間隔は、上記第１の通信搬送波上の第１のサブフレームであり、上記第２の時間間隔は、該第１の通信搬送波上の第２のサブフレームであり、上記第３の時間間隔は、上記第２の通信搬送波上の第３のサブフレームであり、該第３のサブフレームは、該第１のサブフレームの後に続く、項目２５に記載のＵＡ。
（項目２７）
上記制御情報は、上記第１の通信搬送波を用いて受信される、項目２５に記載のＵＡ。
（項目２８）
上記第１の時間間隔からの上記第３の時間間隔のオフセットは、１つのサブフレーム未満である、項目２５に記載のＵＡ。
（項目２９）
上記第１の時間間隔からの上記第３の時間間隔のオフセットは、無線リソース制御（ＲＲＣ）メッセージを用いて構成されている、項目２５に記載のＵＡ。
（項目３０）
上記第１の時間間隔からの上記第３の時間間隔のオフセットは、約４ミリ秒（４ｍｓ）である、項目２５に記載のＵＡ。
（項目３１）
上記制御情報が、第３の通信搬送波上のリソースを割り当てるとき、上記プロセッサは、第４の時間間隔の間に、該第３の通信搬送波を用いてデータを受信するように構成されている、項目２５に記載のＵＡ。
（項目３２）
上記制御情報が、上記第１の通信搬送波上のリソースを割り当てるとき、上記プロセッサは、第１のＡＣＫ／ＮＡＣＫリソースを用いて、確認応答および非確認応答（ＡＣＫ／ＮＡＣＫ）メッセージのうちの少なくとも１つを伝送するように構成され、
該制御情報が、上記第２の通信搬送波上のリソースを割り当てるとき、該プロセッサは、第２のＡＣＫ／ＮＡＣＫリソースを用いて、ＡＣＫ／ＮＡＣＫメッセージを伝送するように構成されている、項目２５に記載のＵＡ。
（項目３３）
無線通信システムであって、該無線通信システムは、ユーザエージェント（ＵＡ）に、該無線通信システムの第１の通信搬送波および第２の通信搬送波のうちの少なくとも１つにおいてリソースを割り当て、
該無線通信システムは、基地局を備え、
該基地局は、
該基地局の制御チャネルを用いて第１の時間間隔中に制御情報を伝送することであって、該制御情報は、該第１の通信搬送波および該第２の通信搬送波のうちの少なくとも１つにおいてリソースを割り当てる、ことと、
該制御情報が該第１の通信搬送波においてリソースを割り当てるとき、第２の時間間隔中に該第１の通信搬送波を用いてデータを伝送することと、
該制御情報が該第２の通信搬送波上のリソースを割り当てるとき、第３の時間間隔中に、該第２の通信搬送波を用いてデータを伝送することであって、該第３の時間間隔は、該第１の時間間隔からオフセットされている、ことと
を行うように構成されている、無線通信システム。
（項目３４）
上記第１の時間間隔は、上記第１の通信搬送波上の第１のサブフレームであり、上記第２の時間間隔は、該第１の通信搬送波上の第２のサブフレームであり、上記第３の時間間隔は、上記第２の通信搬送波上の第３のサブフレームであり、該第３のサブフレームは、該第１のサブフレームの後に続く、項目３３に記載の無線通信システム。
（項目３５）
上記制御情報は、上記第１の通信搬送波を用いて受信される、項目３３に記載の無線通信システム。
（項目３６）
上記第１の時間間隔からの上記第３の時間間隔のオフセットは、１つのサブフレーム未満である、項目３３に記載の無線通信システム。
（項目３７）
上記第１の時間間隔からの上記第３の時間間隔のオフセットは、無線リソース制御（ＲＲＣ）メッセージを用いて構成されている、項目３３に記載の無線通信システム。
（項目３８）
上記第１の時間間隔からの上記第３の時間間隔のオフセットは、約４ミリ秒（４ｍｓ）である、項目３３に記載の無線通信システム。
（項目３９）
上記制御情報が、第３の通信搬送波上のリソースを割り当てるとき、上記基地局は、第４の時間間隔の間に、該第３の通信搬送波を用いてデータを伝送するように構成されている、項目３３に記載の無線通信システム。
（項目４０）
無線通信システムであって、該無線通信システムは、ユーザエージェント（ＵＡ）に該無線通信システムの第１の通信搬送波および第２の通信搬送波のうちの少なくとも１つにおいてリソースを割り当て、
該無線通信システムは、
該第１の通信搬送波を提供する第１の基地局と、
該第２の通信搬送波を提供する第２の基地局と
を備えており、
該第１の基地局は、
該第１の基地局の制御チャネルを用いて第１の時間間隔中に制御情報を伝送することであって、該制御情報は、該第１の通信搬送波および該第２の通信搬送波のうちの少なくとも１つにおいてリソースを割り当てる、ことと、
該制御情報が、該第１の通信搬送波においてリソースを割り当てるとき、該第１の時間間隔中に該第１の通信搬送波を用いてデータを伝送することと
を行うように構成され、
該第２の基地局は、
該制御情報が、該第２の通信搬送波においてリソースを割り当てるとき、第２の時間間隔中に該第２の通信搬送波を用いてデータを伝送するように構成され、該第２の時間間隔は、該第１の時間間隔からオフセットされている、無線通信システム。
【国際調査報告】
2013502841.tif 000019